(57)【要約】本発明の検眼装置は、顔受け装置６の両側に左右上下にそれぞれ独立に駆動されてそれぞれ被検者４の眼の検眼を行う検眼装置本体５ｌ、５ｒが設けられている。
2003041571.tif 000002
【特許請求の範囲】
【請求項１】
顔受け装置の両側に前後左右上下にそれぞれ独立に駆動されてそれぞれ被検者の眼の検眼を行う検眼装置本体が設けられていることを特徴とする検眼装置。
【請求項２】
前記検眼装置本体は両眼同時他覚屈折測定及び自覚屈折測定機能を有し、左右被検眼の眼球回旋点を中心として回転する機構が設けられていることを特徴とする請求項１に記載の検眼装置。
【請求項３】
前記検眼装置本体に被検眼に対するアライメントを自動的に実行するオートアライメント機構が設けられていることを特徴とする請求項１に記載の検眼装置。
【請求項４】
前記各検眼装置本体に被検眼の前眼部像を検眼アシスタントに提示するモニター画面が設けられていることを特徴とする請求項１に記載の検眼装置。
【請求項５】
被検者自身による検眼測定手順をムービー放映により説明するモニター画面が設けられていることを特徴とする請求項１に記載の検眼装置。
【請求項６】
推奨するメガネを装用したときの見え方と裸眼又は現在使用しているメガネの度数との見え方との比較を行うことができる請求項１に記載の検眼装置。
【請求項７】
眼鏡フレームに装着されている一対の眼鏡レンズの光学特性を測定するレンズメーターに接続されて、該レンズメーターから前記眼鏡レンズの光学特性データが入力され、該光学特性データとしてのＰＤ値に基づき、オートアライメント時のＰＤ値の初期値が設定されることを特徴とする請求項３に記載の検眼装置。
【請求項８】
前記レンズメータは眼鏡フレームに装着されている一対の眼鏡レンズの光学特性を同時に測定することを特徴とする請求項７に記載の検眼装置。
【請求項９】
前記ＰＤ値を維持しつつ前記オートアライメントを実行することを特徴とする請求項７に記載の検眼装置。
【請求項１０】
被検者の年齢、性別に応じて前記ＰＤ値の初期値を設定することを特徴とする請求項３に記載の検眼装置。
【請求項１１】
左右一方の被検眼に対するアライメントが合ったときに、ＰＤ値の初期設定を解除して、そのアライメントデータを他方の被検眼に対するアライメントデータとして用いて、他方の被検眼のアライメントを自動的に実行することを特徴とする請求項３に記載の検眼装置。
【請求項１２】
被検者自身による検眼測定手順をムービー放映により説明するモニター画面に被検眼の前眼部像を提示することを特徴とする請求項５に記載の検眼装置。
【請求項１３】
左目用の視標を左目に提示する光学系が内蔵された検眼装置本体と、右目用の視標を右目に提示する光学系が内蔵された検眼装置本体とを備えていることを特徴とする検眼装置。
【請求項１４】
前記各光学系に被検眼の両眼視測定を行うときに融像視標を提示する融像視標提示光学系が設けられていることを特徴とする請求項１３に記載の検眼装置。
【請求項１５】
左目に対向するミラーを有し左目について他覚測定を行う測定光学系が内蔵された検眼装置本体と、右目に対向するミラーを有し右目について他覚測定を行う測定光学系が内蔵された検眼装置本体と、左右のミラーを介して視力表を背後から提示する視力表検査装置とを有することを特徴とする検眼装置。
【請求項１６】
遠用視標に対する自覚屈折測定後、視標を所定の近用距離に移動させると同時に、所定の近用距離に合わせて左右の検眼装置本体を左右被検眼の眼球回旋点を中心として回転させて両眼他覚測定を行うことを特徴とする請求項２に記載の検眼装置。
【請求項１７】
遠用視標に対する他覚屈折測定値と所定の近用距離における両眼他覚屈折測定値との差を演算する演算手段と演算結果をもとに調節機能障害又は所定の近用距離に対する必要性の有無を判断する判断手段を有することを特徴とする請求項１６に記載の検眼装置。
【請求項１８】
前記視標を前記所定の近用距離に移動させる際に、ステップ送りして、その都度両眼同時他覚測定を行うことを特徴とする請求項１６又は請求項１７に記載の検眼装置。
【請求項１９】
前記視標がランドルト環であり、該ランドルト環の切れ目の方向にレバーを倒させてレバーを倒した方向と切れ目の方向とが一致するか否かを判定することにより、被検者がランドルト環を注視しているか否かを確認することを特徴とする請求項１６に記載の検眼装置。
【請求項２０】
前記レバーの倒された方向と前記ランドルト環の切れ目の方向とが一致したときに他覚測定を開始することを特徴とする請求項１９に記載の検眼装置。
【請求項２１】
前記他覚測定を複数回行って平均を取る場合に測定毎に異なるランドルト環を被検者に呈示することを特徴とする請求項２０に記載の検眼装置。
【発明の詳細な説明】
技術分野
本発明は、被検者が自ら若しくは経験の乏しい検眼アシスタントが検眼測定を行うことのできる検眼装置に関するものである。
背景技術
従来から、検眼装置には、被検者の左右眼の眼屈折力を自覚的及び他覚的に同時に測定できる構成のものが知られている（特開２０００−８３９００号公報参照）。
この従来の検眼装置では、被検者は検眼士の指示に従って検眼を受ける構成のものである。
しかしながら、検眼士による被検者の検眼測定は、経営の効率化、コスト削減の観点に鑑みると芳しくない。
また、近時、近見障害、眼疲労、視蒙感等の調節機能障害を訴える場合、又は、輻輳と調節系の異常が考えられる場合、近用眼鏡処方時、ＶＤＴ（ビデオディスプレイターミナル）作業者の健康管理などでは、調節近点、調節力、調節動態などの調節機能の測定が行われている。調節機能の測定には、石原式近点計やアコモドポリコレコーダによる自覚的な方法と赤外線オプトメータ及び前面開放型赤外線オプトメータによる他覚的な方法が用いられている。
自覚的な調節近点の測定は、一般的に近距離視力表０．６のランドルト環視標とバー視標を、被検者が最も明視できている距離から、視標移動速度２．５ｃｍ／ｓｅｃ〜５ｃｍ／ｓｅｃの一定速度で近づけ、少しでもボケが生じたと知覚した距離を近点として記録する。
他覚的な方法の赤外線オプトメータは、通常のオートレフラクトメータを改造したもので、視標を一定速度で移動させた時の水平経線の眼屈折状態を連続的に測定し、調節の動特性を記録することができる。前面開放型オプトメータは、視標を自然視に近い状態の外部視標として、眼前の実空間を移動させて、両眼の調節変化を記録する。
しかしながら、自覚的な調節近点の測定は、被検者に視標のボケ、明視の主観的感覚基準を練習によって持たせた後、遠方から近方へ視標を移動させた時のボケを知覚した距離（消失閾）と逆に近方から遠方へ視標を移動させた時に明視できた距離（出現閾）をそれぞれ３回測定し、両者の平均値を近点としている。
測定は、自覚的応答に依存し、被検者の視標のボケと明視の主観的感覚基準の不安定さ、被検者の視標に対する追従運動と応答の不確定さから、バラツキが大きく、特に、幼児の測定には不向きである。
赤外線オプトメータによる測定は、片眼遮蔽で行われ、視標は片眼の光軸上で移動させて調節刺激としており、日常の調節と輻輳の関係とが異なる。
調節と輻輳は、日常の生活で相伴って増減し、互いに不可分な関係にある。片眼遮蔽による調節測定は、正確な調節近点、調節力などの測定は行うことができないと言う問題がある。
前面開放型赤外線オプトメータによる測定は、外部視標を取り入れ、より自然視に近い状態で視標呈示を行うことができるが、視標移動範囲に制約があり、遠点も含めて調節近点の測定を行うことができないという問題がある。
本発明は、上記の事情に鑑みて為されたもので、被検者自身若しくは経験の乏しい検眼アシスタントに検眼測定を行わせることができる検眼装置を提供することを目的とする。
また、本発明の目的は、調節と輻輳との関係を維持したうえで両眼に視標を提示し、広い視標移動範囲で調節機能の測定が可能で、調節刺激と輻輳との関係を常に一定に保ち、被検者の屈折異常に無関係に調節力を容易に測定することができ、眼科臨床における近見障害、眼疲労、視蒙感などの調節機能障害を訴える症例、輻輳と調節系の異常が考えられる診断の他、近用眼鏡処方時の判断、ＶＤＴ（ビデオディスプレイターミナル）作業者の健康管理等に好適の検眼装置、特に、調節と輻輳との関係を簡便に測定できる検眼装置を提供することにある。
発明の開示
請求項１に記載の検眼装置は、顔受け装置の両側に前後左右上下にそれぞれ独立に駆動されてそれぞれ被検者の眼の検眼を行う検眼装置本体が設けられていることを特徴とする。
請求項２に記載の検眼装置は、前記検眼装置本体が両眼同時他覚屈折測定及び自覚屈折測定機能を有し、左右被検眼の眼球回旋点を中心として回転する機構が設けられていることを特徴とする。
請求項３に記載の検眼装置は、前記検眼装置本体に被検眼に対するアライメントを自動的に実行するオートアライメント機構が設けられていることを特徴とする。
請求項４に記載の検眼装置は、前記各検眼装置本体に被検眼の前眼部像を検眼アシスタントに提示するモニター画面が設けられていることを特徴とする。
請求項５に記載の検眼装置は、被検者自身による検眼測定手順をムービー放映により説明するモニター画面が設けられていることを特徴とする。
請求項６に記載の検眼装置は、推奨するメガネを装用したときの見え方と裸眼又は現在使用しているメガネの度数との見え方との比較を行うことができることを特徴とする。
請求項７に記載の検眼装置は、眼鏡フレームに装着されている一対の眼鏡レンズの光学特性を測定するレンズメーターに接続されて、該レンズメーターから前記眼鏡レンズの光学特性データが入力され、該光学特性データとしてのＰＤ値に基づき、オートアライメント時のＰＤ値の初期値が設定されることを特徴とする。
請求項８に記載の検眼装置は、前記レンズメータは眼鏡フレームに装着されている一対の眼鏡レンズの光学特性を同時に測定することを特徴とする。
請求項９に記載の検眼装置は、前記ＰＤ値を維持しつつ前記オートアライメントを実行することを特徴とする。
請求項１０に記載の検眼装置は、被検者の年齢、性別に応じて前記ＰＤ値の初期値を設定することを特徴とする。
請求項１１に記載の検眼装置は、左右一方の被検眼に対するアライメントが合ったときに、ＰＤ値の初期設定を解除して、そのアライメントデータを他方の被検眼に対するアライメントデータとして用いて、他方の被検眼のアライメントを自動的に実行することを特徴とする。
請求項１２に記載の検眼装置は、被検者自身による検眼測定手順をムービー放映により説明するモニター画面に被検眼の前眼部像を提示することを特徴とする。
請求項１３に記載の検眼装置は、左目用の視標を左目に提示する光学系が内蔵された検眼装置本体と、右目用の視標を右目に提示する光学系が内蔵された検眼装置本体とを備えていることを特徴とする。
請求項１４に記載の検眼装置は、前記各光学系に被検眼の両眼視測定を行うときに融像視標を提示する融像視標提示光学系が設けられていることを特徴とする。
請求項１５に記載の検眼装置は、左目に対向するミラーを有し左目について他覚測定を行う測定光学系が内蔵された検眼装置本体と、右目に対向するミラーを有し右目について他覚測定を行う測定光学系が内蔵された検眼装置本体と、左右のミラーを介して視力表を背後から提示する視力表検査装置とを有することを特徴とする。
請求項１６に記載の検眼装置は、遠用視標に対する自覚屈折測定後、視標を所定の近用距離に移動させると同時に、所定の近用距離に合わせて左右の検眼装置本体を左右被検眼の眼球回旋点を中心として回転させて両眼他覚測定を行うことを特徴とする。
請求項１７に記載の検眼装置は、遠用視標に対する他覚屈折測定値と所定の近用距離における両眼他覚屈折測定値との差を演算する演算手段と演算結果をもとに調節機能障害又は所定の近用距離に対する必要性の有無を判断する判断手段を有することを特徴とする。
請求項１８に記載の検眼装置は、前記視標を前記所定の近用距離に移動させる際に、ステップ送りして、その都度両眼同時他覚測定を行うことを特徴とする。
請求項１９に記載の検眼装置は、前記視標がランドルト環であり、該ランドルト環の切れ目の方向にレバーを倒させてレバーを倒した方向と切れ目の方向とが一致するか否かを判定することにより、被検者がランドルト環を注視しているか否かを確認することを特徴とする。
請求項２０に記載の検眼装置は、前記レバーの倒された方向と前記ランドルト環の切れ目の方向とが一致したときに他覚測定を開始することを特徴とする。
請求項２１に記載の検眼装置は、前記他覚測定を複数回行って平均を取る場合に測定毎に異なるランドルト環を被検者に呈示することを特徴とする。
発明を実施するための最良の形態
図１において、１は高さが上下調節可能な検眼テーブル、２は検眼テーブル１に配設された検眼装置、３は検眼椅子、４は検眼装置に着座した被検者である。検眼装置２は図２に示すように台座部５ａ、駆動機構ボックス５ｂ、後述する測定光学系を内蔵する左右一対の本体部５ｌ、５ｒ、顔受け装置６を有する。本体部５ｌ、５ｒは支柱５ｐ、５ｑに支持されている。
顔受け装置６には、一対の支柱６ａ、６ｂと顎受け６ｄとが設けられている。一対の支柱６ａ、６ｂには円弧状の額当て６ｃが設けられている。顎受け６ｄはノブ６ｅ、６ｅにより上下方向に調節可能である。また、額当て６ｃも前後方向に調節可能である。
駆動機構ボックス５ｂ内には、支柱５ｐ、５ｑをそれぞれ独立に駆動するＸＹＺ駆動機構（図示を略す）が設けられている。このＸＹＺ駆動機構には例えばパルス駆動モーター、送りネジが用いられ、公知の構成を採用することができる。また、駆動機構ボックス５ｂ内には、支柱５ｐ、５ｑをそれぞれ独立に水平方向でかつ反対方向に回転駆動させる回転駆動機構が設けられている。この回転駆動機構には、パルスモータとギヤとの組み合わせを用いれば良い。本体部５ｌ、５ｒは、両眼同時他覚測定及び自覚屈折測定機能を有し、左右被検眼の眼球回旋点を中心として回転される。
台座部５ａにはジョイスティックレバー（以下、レバーという）６ｈが設けられ、このレバー６ｈにはボタン６ｇが設けられている。
本体部５ｌの測定光学系は、図３〜図５に示した前眼部撮影光学系３０Ｌ、ＸＹアライメント光学系３１Ｌ、固視光学系３２Ｌ、屈折力測定光学系３３Ｌを有する。本体部５ｒの測定光学系は、図３、図６、図７に示したように前眼部撮影光学系３０Ｒ、ＸＹアライメント光学系３１Ｒ、固視光学系３２Ｒ、屈折力測定光学系３３Ｒを有する。本体部５ｌの測定光学系と本体部５ｒの測定光学系とは左右対称であるので、本体部５ｌの測定光学系について説明する。
前眼部撮影光学系３０Ｌは、前眼部照明光学系３４と、撮影光学系３５を有する。前眼部照明光学系３４は、前眼部照明用の光源３６、絞り３６ａ、光源３６からの光を被検眼Ｅの前眼部に投影する投影レンズ３７を有する。
撮影光学系３５は、被検眼Ｅの前眼部からの反射光が入射するプリズムＰ、対物レンズ３８、ダイクロイックミラー３９、絞り４０、ダイクロイックミラー４１、リレーレンズ４２、４３、ダイクロイックミラー４４、ＣＣＤレンズ（結像レンズ）４５、ＣＣＤ（撮像手段）４６を有する。
ＸＹアライメント光学系３１Ｌは、アライメント照明光学系４７、アライメント受光光学系としての撮影光学系３５を有する。アライメント照明光学系４７は、図４に示したように、アライメント用の照明光源４８、アライメント視標としての絞り４９、リレーレンズ５０、ダイクロイックミラー４１、絞り４０、ダイクロイックミラー３９、対物レンズ３８、プリズムＰを有する。
固視光学系３２Ｌは、固視標や自覚式検眼用のチャート等を表示させる液晶表示器５３、ハーフミラー５４、コリメータレンズ５５、ロータリプリズム５５Ａ、５５Ｂ、反射ミラー５６、移動レンズ５７、リレーレンズ５８、５９、クロスシリンダレンズ（ＶＣＣレンズ）５９Ａ、５９Ｂ、反射ミラー６０、ダイクロイックミラー６１、３９、対物レンズ３８、プリズム（ミラーでも良い）Ｐを有する。
ロータリープリズム５５Ａ、５５Ｂは図３０に示す公知のものが用いられ、互いに逆方向に回転するとプリズム量を連続的に変更でき、同じ方向に一体回転するとプリズム基底方向が回転する。ロータリプリズム５５Ａ、５５Ｂは、図１９（ａ）に示す視標７１Ａを左眼に提示し、図１９（ｂ）に示す視標７１Ｂを右眼に提示して斜位の測定に用いられる。正常眼は図１９（ｃ）に示すように視標７１Ａと視標７１Ｂとは中心で交差するが、斜位があると分離する。ロータリープリズム５５Ａ、５５Ｂは図１９（ｃ）に示すように視標７１Ａと視標７１Ｂとが中心で交わるプリズム量を測定するために用いられる。クロスシリンダレンズ（ＶＣＣレンズ）５９Ａ、５９Ｂは図２３に示す公知のものが用いられ、互いに逆方向に回転させると乱視度数が変更され、同じ方向に一体回転させると乱視軸が回転される。
なお、ここでは、液晶表示器５３を用いて視標を提示することにしているが、ターレット盤に視標を設けて背景照明により視標を提示する公知のものを用いても良い。
固視光学系３２Ｌは被検眼の屈折力に応じて移動レンズ５７がパルスモータＰＭａにより光軸方向に移動可能とされている。これにより、被検眼に固視雲霧させることができる。
その固視標光学系３２Ｌには、融像視標提示光学系３２Ｌ’が設けられている。融像視標提示光学系３２Ｌ’は、照明光源としてのＬＥＤ５３Ａ、コリメータレンズ５３Ｂ、融像枠チャート５３Ｄ、全反射ミラー５３Ｅから構成されている。融像枠チャート５３Ｄには図２４に示すように正方形状の透過窓５３Ｆと遮光部５３Ｇとが形成されている。コリメータレンズ５３Ｂには拡散面が設けられ、融像枠チャート５３Ｄを一様照明するようになっている。
本発明の実施の形態では、融像視標提示光学系３２Ｌ’を設けているが、液晶表示器５３の視標に直接融像枠５３Ｆを設けることもできる。
屈折力測定光学系３３Ｌは、測定光束投影光学系６２、測定光束受光光学系６３を有する。測定光束投影光学系６２は、赤外ＬＥＤ等の測定用光源６４、コリメータレンズ６５、円錐プリズム６６、リング視標６７、リレーレンズ６８、リング状絞り６９、中央に透孔７０ａが形成された穴あきプリズム７０、ダイクロイックミラー６１、３９、対物レンズ３８、プリズムＰを有する。
また、測定光束受光光学系６３は、被検眼Ｅの眼底Ｅｆからの反射光を受光するプリズムＰ、対物レンズ３８、ダイクロイックミラー３９、６１、穴あきプリズム７０の透孔７０ａ、反射ミラー７１、リレーレンズ７２、移動レンズ７３、反射ミラー７４、ダイクロイックミラー４４、ＣＣＤレンズ４５、ＣＣＤ４６を有する。本体部５ｒの光学系は本体部５ｌの光学系と大略同一であるので、その説明は省略する。
本体部５ｌ、５ｒの制御系が図８に示されている。駆動装置２０、２４、２６、２８、前眼部観察用の照明光源３６、液晶表示器（固視標光源）５３、測定用光源６４、パルスモータＰＭａ等は図８に示す演算制御回路６２により作動制御される。また、演算制御回路６２にはＣＣＤ４６からの検出信号が入力される。本体部５ｒの制御系は本体部５ｌの制御系と同一である。
全体の制御回路は、図８に示すように、本体部５ｌ、５ｒの制御回路６２’、６２’を制御する演算制御回路６３を有する。この演算制御回路６３には、ボタン６ｇ、レバー６ｈの傾動操作を検出する傾動検出センサ１２ｂ、レバー１２の軸線回りへの回動操作を検出する回転センサ１２ｃが接続されている。また、演算制御回路６３にはモニター装置としての液晶表示器６４ｌ、６４ｒ、モニタ装置６４ｑが接続されている。液晶表示器６４ｌは、図２に示すように、本体部５ｌの前面に設けられて、被検眼Ｅの左眼の前眼部像を表示する役割を果たす。表示器６４ｒは本体部５ｒの前面に設けられて、被検眼Ｅの右眼の前眼部像を表示する役割を果たす。モニター装置６４ｑは、座台部５ａに立設された支柱６４ｓに取り付けられている。そのモニター装置６４は、その表示画面６４ｑ’に被検者自身による検眼の測定手順をムービー放映により説明するモニター画面を提示する。
その検眼装置には、レンズメーター１０００が接続されている。そのレンズメータ１０００の接続態様は図９（ａ）〜図９（ｃ）のいずれでも良い。そのレンズメーター１０００の外観が例えば図１０に示されている。このレンズメーター１０００は眼鏡１００６の左右のフレーム入り眼鏡レンズ１００６Ｌ、１００６Ｒの光学特性を同時に測定する機能を有する。その図１０において、１００７Ｌ、１００７Ｒは眼鏡レンズ１００６Ｌ、１００６Ｒの押さえレバーである。眼鏡１００６をこのレンズメーター１０００の眼鏡セット台１００１に置くと、眼鏡セット台１００１に設置の検出ピン（図示を略す）が眼鏡１００６のセットを検出する。これにより、自動的に押さえレバー１００７Ｌ、１００７Ｒが下降して、押さえ爪１００８Ｌ、１００８Ｒにより眼鏡１００６が固定され、レンズメーター１０００に内蔵の測定光学系により左右の眼鏡レンズ１００６Ｌ、１００６Ｒの光学特性データが同時に得られる。また、左右の眼鏡レンズ１００６Ｌ、１００６Ｒの光学特性データに基づき、被検者（眼鏡装用者）のＰＤ値が得られる。このレンズメーター１０００の測定光学系の構造については、原理的には２つの公知の測定光学系を用いて構成することができ、詳細構成は例えば特願２０００−３９９８０１号に記載されている。本発明の実施の形態では、図１０に示すレンズメータとしたが、ＰＤ測定機能を有する公知のオートレンズメータを用いることもできる。
そのレンズメーター１０００の眼鏡レンズの光学特性データは、演算制御回路６３に入力される。演算制御回路６３はモニター装置６４ｑの表示画面６４ｑ’に眼鏡レンズの光学特性値、ＰＤ値を表示させる役割も果たす。このＰＤ値を用いて、眼鏡レンズ装用者の場合には、本体部５ｌ、５ｒの初期設定を行うようにするのが望ましい。この検眼装置２では、図１１（ａ）〜（ｃ）に示す検眼ルーチンとして、メガネ・コンタクトレンズ未経験者の場合、メガネ装用被検者の場合、コンタクトレンズ装用被検者の場合をそれぞれ実行できる。この検眼ルーチンの詳細は後述する。
被検者の来店と共にモニター装置６４ｑがオンされ、表示画面６４ｑ’に所定の事項が表示される。そのモニター装置６４ｑの表示画面６４ｑ’に表示された指示に従って、被検者は表示画面６４ｑ’のタッチパネルを操作する。例えば、性別、年齢、メガネ、コンタクトレンズの装用の有無等をタッチパネルの指示に従って入力する。同時に指示事項が音声でガイドされる。
メガネ装用者の場合には、眼鏡１００６の光学特性値データ（度数）をレンズメータ１０００で測定する。これらの一連の問診が終了すると、モニター装置６４ｑの表示画面６４ｑ’に検眼装置２の操作手順の説明がムービー放映される。
そして、被検者が着座して顎受け６ｄに顎を乗せ、額当て６ｃに額を当てると、被検者の左眼ＥＬ、右眼ＥＲに対するオートアライメントを行うために、本体部５ｌ、５ｒ内の前眼部観察用光源３６、アライメント用の照明光源４８、液晶表示器５３を点灯させる。
液晶表示器５３に表示された固視標の光は、反射ミラー５４、コリメータレンズ５５、反射ミラー５６、移動レンズ５７、リレーレンズ５８、５９、反射ミラー６０、ダイクロイックミラー６１、３９、対物レンズ３８、プリズムＰを介して、被検者の左眼ＥＬ、右眼ＲＬの眼底Ｅｆに投影される。
液晶表示器５３には、視標として風景チャート９９が表示され、被検者４には、図１２に示すように、風景チャート９９が提示される。
また、演算制御回路６３は、本体部５ｌ、５ｒのプリズムＰ、Ｐの中心間距離（光軸ＯＬ、ＯＲ）が大人の被検者の平均瞳孔間距離（ＰＤ値＝６６ｍｍ）となるように、本体部５ｌ、５ｒを左右方向に初期設定して調節する。一方、被検者４は固視標としての風景チャート９９が見えるように顎受け等の高さを調節する。
前眼部照明用の光源３６からの照明光は、絞り３６ａ、投影レンズ３７を介して左眼ＥＬ、右眼ＲＬの前眼部に投影され、前眼部が照明される。左眼、右眼の前眼部からの反射光は、プリズムＰ、対物レンズ３８、ダイクロイックミラー３９、絞り４０、ダイクロイックミラー４１、リレーレンズ４２、４３、ダイクロイックミラー４４、ＣＣＤレンズ（結像レンズ）４５を介してＣＣＤ（撮像手段）４６に投影される。そして、ＣＣＤ４６の左眼ＥＬの前眼部像ＥＬ’がＣＣＤ４６に結像される。また、演算制御回路６２は、ＣＣＤ４６からの出力信号に基づき左眼ＥＬの前眼部像ＥＬ’を図１３（ａ）に示すように本体部５ｌの液晶表示器６４ｌに表示させる。同様に、右眼ＥＲの前眼部像ＥＲ’を図１３（ｂ）に示すように本体部５ｒの液晶表示器６４ｒに表示させる。
一方、ＸＹアライメント用の照明光源４８からのアライメント光束は、アライメント視標としての絞り４９、リレーレンズ５０、ダイクロイックミラー４１、絞り４０、ダイクロイックミラー３９、対物レンズ３８、プリズムＰを介して被検者の左眼ＥＬの角膜ＣＬに投影されている。そして、角膜ＣＬからの反射光は、プリズムＰ、対物レンズ３８、ダイクロイックミラー３９、絞り４０、ダイクロイックミラー４１、リレーレンズ４２、４３、ダイクロイックミラー４４、ＣＣＤレンズ（結像レンズ）４５を介してＣＣＤ（撮像手段）４６に結像され、角膜ＣＬからの輝点像ＥＰをＣＣＤ４６に形成する。しかも、演算制御回路６２は、出力信号に基づき左眼ＥＬの前眼部像ＥＬ’と共に輝点像ＥＰを液晶表示器６４ｌに表示させる。同様に、右眼ＲＬの前眼部像ＥＲ’と共に輝点像ＥＰを本体部５ｒの液晶表示器６４ｒに表示させる。
演算制御回路６３は、ＣＣＤ４６からの輝点像ＥＰの信号がＣＣＤ４６の中心の所定範囲Ｓ２内に入るように、すなわち、被検者４の左眼ＥＬの光軸が本体部５ｌのプリズムＰの中心（光軸ＯＬ）に一致する方向に駆動装置２０、２６を駆動制御する。この駆動に伴って、演算制御回路６３は、被検者４の左眼ＥＬの光軸ＯＬが本体部６４ｌのプリズムＰの中心（光軸ＯＬ）にほぼ一致する許容範囲Ｓ２内に入ると、駆動装置２０、２６の作動を停止させて、本体部６４ｌの左眼ＥＬに対するＸＹアライメントを完了する。右眼ＲＬに対するアライメントも同様である。
演算制御回路６３は、本体部５ｌの左眼ＥＬに対するＸＹアライメントが完了すると、ＣＣＤ４６の輝点像ＥＰが鮮明になるようにＺ（前後）方向駆動装置２４を駆動制御して、本体部６４ｌを光軸ＯＬ方向（前後方向）に移動制御する。演算制御回路４６は、ＣＣＤの輝点像ＥＰが鮮明になったのを検知すると、Ｚアライメントが完了したとしてＺ（前後）方向駆動装置２４の駆動を停止させる。右眼ＥＲに対するＺ方向のアライメントについても同様である。なお、図１３には、右眼ＥＲの輝点像ＥＰが所定範囲Ｓ２内に入り、左眼ＥＬの輝点像ＥＰが所定範囲Ｓ２内に入っていない状態が示されている。
演算制御回路６３は、オートアライメントが完了すると、本体部６４ｌの演算制御回路６２、本体部６４ｒの演算制御回路６２をそれぞれ作動制御して、左右の本体部６４ｌ、６４ｒの測定用光源６４、６４をそれぞれ点灯させ、この測定用光源６４、６４から赤外の測定光束を出射させ、被検者の左眼ＥＬ、右眼ＥＲの眼屈折力の測定を同時に開始する。
測定用光源６４からの光束は、測定光束投影光学系６２を介して被検者４の左眼ＥＬ、右眼ＥＲの眼底Ｅｆに投影される。測定用光源６４からの測定光束は、本体部５ｌのコリメータレンズ６５、円錐プリズム６６を介してリング視標６７に導かれる。リング視標６７を透過したリング状の測定光束は、リレーレンズ６８、リング状絞り６９、中央に透孔７０ａが形成された穴あきプリズム７０、ダイクロイックミラー６１、３９、対物レンズ３８、プリズムＰを介して被検者の左眼ＥＬ、右眼ＥＲの眼底Ｅｆに投影される。
眼底Ｅｆに投影されたリング状の測定光束は眼底Ｅｆで反射される。この反射光は、測定光束受光光学系６３、すなわち、プリズムＰ、対物レンズ３８、ダイクロイックミラー３９、６１、穴あきプリズム７０の透孔７０ａ、反射ミラー７１、リレーレンズ７２、移動レンズ７３、反射ミラー７４、ダイクロイックミラー４４、ＣＣＤレンズ４５等を介してＣＣＤ４６にリング状反射像が結像される。
このＣＣＤ４６からの検出信号は、本体部６４ｌの演算制御回路６２に入力される。この演算制御回路６２は、ＣＣＤ４６からの検出信号が入力されると、ＣＣＤカメラ４６に結像されたリング状反射像の大きさと形状とから左眼ＥＬ、右眼ＥＲの眼屈折力を他覚的に測定する。
この他覚的眼屈折力の測定原理の詳細については、公知であるので、その詳細な説明は省略する。
以下、本発明に係わる検眼装置の使用方法を説明する。
１．モニター装置６４ｑの表示画面６４ｑ’を被検者４に見させながら問診を行わせる。
２．モニター装置６４ｑの表示画面６４ｑ’に検眼装置の操作手順を表示し、音声でガイドしながら、操作手順を説明する。その後、検眼測定が選択されると、各個別の測定に入る。
３．コンタクトレンズ装用者の矯正視力の測定
（１）この測定が選択されると同時に、本体部５ｌ、５ｒの省電力モードを解除する。
液晶表示器（視標照明光源ともいう）５３、測定光源（ＬＥＤともいう）６４、ＣＣＤカメラ４６等がｏｎとなる。
（２）本体をイニシアルにセットする。
ＰＤ値は、平均瞳孔間距離６６ｍｍとする。視標は、両眼ＥＬ、ＥＲとも図１２に示す風景チャート９９とする。
（３）「コンタクトレンズ装用時の視力を測定します。これから測定方法を説明します。」とアナウンスされると共に、文字がモニター装置６４ｑの表示画面６４ｑ’に表示される。
（４）検眼装置２の使用方法が音声付きでモニター装置６４ｑにムービー放映される。
顔のセット方法や以下に説明するレバー６ｈの操作方法がムービー放映される。
（５）次いで、「それでは視力測定をはじめます。レバー６ｈを握って、コンタクトレンズを装用したまま視力検査器を覗いて下さい。顎受け６ｄの調節を行って下さい。家の絵９９’が見えますか。見えなければ見える位置に調整して下さい。」と音声でガイドされる。
（６）客は顎受け６ｄ、額当６ｃで顔を固定し、レバー６ｈを握る。
（７）オートアライメント機能が両眼同時にスタートする。
（８）オートアライメントは、次のステップで、アライメントが適合するまでを繰り返され、アライメントが合った段階で終了する。
ａ）イニシアル位置でのオートアライメントは、リトライ２回、計３回とする。
ｂ）ａ）のステップで両眼ともＮＧだった場合、「装置の位置調節を行います。」とアナウンスした後、ＰＤ値（Ｌ）６６ｍｍを保ったまま、光学ベース（支柱５ｐ、５ｑの各ベースでありかつ三次元駆動機構の一部を構成する架台）を右側に５ｍｍ移動する。
ｃ）３回のオートアライメントを行う。
ｄ）ｃ）のステップで両眼ともＮＧだった場合、「検眼装置２の位置調節を行います。」とアナウンスした後、ＰＤ値（Ｌ）６６ｍｍを保ったまま、イニシアル位置の左側５ｍｍの位置に移動する。
ｅ）３回のオートアライメントを行う。
ｆ）ｅ）のステップで両眼ともＮＧだった場合、「装置の位置調節を行います。」とアナウンスした後、ＰＤ値（Ｌ）６６ｍｍを保ったまま、イニシアル位置の上側５ｍｍの位置に移動する。
ｇ）３回のオートアライメントを行う。
ｈ）ｇ）のステップで両眼ともＮＧだった場合、「装置の位置調節を行います。」とアナウンスした後、ＰＤ値（Ｌ）６６ｍｍを保ったまま、イニシアル位置の下側５ｍｍの位置に移動する。
ｉ）３回のオートアライメントを行う。
図１４はその手順の一例を示すもので、この図１４は被検眼ＥＬ、ＥＲに対する本体部５ｌ、５ｒの光軸ＯＬ、ＯＲの位置関係を示している。この図１４において、ＥＰＲは被検眼ＥＬ、ＥＲの実際の瞳孔である。また、Ｆ１は被検者４の顔の正中線であり、Ｆ２は本体部５ｌ、５ｒのＸ方向の原点位置を示している。Δ’は正中線とＸ方向原点位置とのズレ量である。更に、ＳＩＬ、ＳＩＲは、本体部５ｌ、５ｒのオートアライメント時の上下左右方向の移動範囲を示している。図１４（ａ）は輝点像ＥＰが左右眼ＥＬ、ＥＲとも右斜め上にずれている状態が示されている。このような場合には、本体部５ｌ、５ｒをＰＤ値を初期値に保ったまま、右に駆動して、図１４（ｂ）に示すような状態とする。そして、この状態でも輝点像ＥＰが所定範囲Ｓ２からはずれている場合には、上方向か下方向かに本体部５ｌ、５ｒを駆動する。
図１４（ｂ）に示す場合には、輝点像ＥＰが上側にずれているので、本体部５ｌ、５ｒを例えば５ｍｍ上方向に移動させると、図１４（ｃ）に示すように、輝点像ＥＰが所定範囲Ｓ２内に入ることになり、これにより、オートアライメントが完了することになる。
従って、（ａ）〜（ｈ）のアライメント手順を適宜組み合わせれば、オートアライメントを実行できることとなる。
眼鏡レンズのＰＤ値が予めわかっている場合には、このＰＤ値を初期値（イニシャル値）としてセットすれば、オートアライメントの短時間内での成功確率をより一層高めることができる。また、被検者４の年齢、性別に応じてＰＤ値の初期値を設定したときも同様にオートアライメントの短時間内で成功確率を高めることができる。
この他、以下に説明する手順によりオートアライメントを行うようにしても良い。
ｊ）ａ）〜ｉ）のいずれかのステップで、どちらか一方の眼にアライメントが合った場合、ｙ、ｚ値を固定して、アライメントが合った一方の眼のｙ、ｚ値を、ＮＧとなった眼のｙ、ｚ値にセットし、「装置の位置調節を行います。」とアナウンス後、ＮＧとなった眼のｘ値を５ｍｍ広げる。
例えば、図１５に示すように、被検者４のＰＤ値が未知で、被検者４のＰＤ値が平均瞳孔間距離Ｌ＝６６ｍｍよりも大きかったとすると、図１５（ａ）に示すように、本体部５ｌ、５ｒのオートアライメント移動範囲ＳＩＬ、ＳＩＲをもってしてもカバーしきれない場合がある。
このような場合、例えば、ＰＤ値の初期設定値（Ｌ＝６６ｍｍ）を保ったまま左に本体部５ｌ、５ｒを移動させると、図１５（ｂ）に示すように左眼ＥＬの輝点像ＥＰが所定範囲Ｓ２に入り、左眼ＥＬのオートアライメントが達成される。このときのオートアライメント値（ｘ、ｙ、ｚ）をメモリする。
そして、ＰＤ値の初期設定値を解消して、ｙ、ｚ値を固定したまま、本体部５ｒの原点Ｆ２からの設定値を（３３ｍｍ＋ｘ）にセットし、図１５（ｃ）に示すように、移動範囲ＳＩＲの範囲内で本体部５ｒを左右方向に往復動させる。この左右方向の往復動を数回行っても、所定範囲Ｓ２内に入らなかったときには、図１５（ｄ）に示すように、オートアライメントの本体部５ｒの移動範囲ＳＩＲを更に広げる。
すると、所定範囲Ｓ２に輝点像ＥＰが入ることになり、従って、一方の被検眼のアライメントが合ったときに、ＰＤ値の初期設定値を解消して、一方の被検眼のアライメントが合ったときの（ｘ、ｙ、ｚ）値を、他方の被検眼に対するアライメントデータとして用いて、オートアライメントを実行すれば、より一層早くアライメントの成功確率を高めることができる。
ｋ）３回のオートアライメントを行う。
ｌ）ｋ）のステップでも、なお、ＮＧのときには、「装置の位置調節を行います。」とアナウンスした後、ＮＧとなった眼のｘ値を更に５ｍｍ広げる。
ｍ）ｊ）〜ｌ）のステップをＰＤの移動範囲以内で繰り返す。
ｎ）ａ）〜ｍ）のステップの間でのアライメントが合ったステップでオートアライメントを終了し、ｘ、ｙ、ｚ位置を検出し、ＰＤ値を求める。
（９）コンタクトレンズ装用者の右眼矯正視力の測定
ａ）アライメントが合った段階で、「目を細めないで下さい。」とアナウンスした後、右眼に視力値０．１の視標を提示する。
ｂ）次いで、左眼の液晶表示器（視標照明光源）５３をｏｆｆする。
ｃ）「視標の切れ目方向にレバー６ｈを倒して下さい。わからない場合、レバー６ｈのボタン６ｇを押して下さい。」と音声ガイドする。
ｄ）客は、ランドルト環の切れ目方向にレバー６ｈを倒す。
ｅ）提示視標とレバー６ｈの倒れた方向とが一致しているかどうかを判定する。
ｆ）ランドルト環の切れ目方向とレバー６ｈを倒した方向とを判別して、「これはどうですか」とアナウンスし、右眼に次の視標を提示する。
（１０）視力値決定のアルゴリズムは以下に説明する通りである。
ａ）ランドルト環の切れ目方向とレバー６ｈを倒した方向とが一致したら、１ステップ上げて行く。
ｂ）上げて行く段階で、ＮＧとなった場合、最大４回提示する。
ｃ）視力値を上げていく段階、同じ視力値で切れ目方向を変える場合、水平方向と垂直方向を交互に提示する。また、水平方向の右と左、垂直方向の上と下はランダムに提示する。
ｄ）最大４回提示のうち、２回ＮＧとなったらその下の視力値とする。３回ＯＫとなったらその視力値を有すると判定し、１ステップ上に進む。
ｅ）視力値が決定されしだい、左眼の液晶表示器（照明光源）５３をｏｎとし、両眼でみる風景チャート９９を提示する。
ｆ）視力値をメモリーする。
（１１）コンタクトレンズ装用者の左眼矯正視力の測定
ａ）左眼に視力値０．１の視標を提示し、右眼の視標照明光源をｏｆｆとする。ｂ）（９）ｃ）〜（１０）ｄ）のステップと同様の手順を行う。
ｃ）（１０）ｄ）のステップで左眼の視力値が決定されしだい、右眼の視標照明光源をｏｎとし、両眼でみる風景チャート９９を提示する。
４．裸眼視力の測定（右眼、左眼、両眼）
（１）本体の省電力モードを解除する。
チャート照明、測定ＬＥＤ、ＣＣＤカメラ等がｏｎとなる。
（２）本体をイニシアルセットする。
ＰＤは６６ｍｍとする。視標は両眼とも風景チャート９９とする。
（３）「ディスプレー画面（表示画面６４ｑ’）をご覧ください。これから測定方法を説明します。」と音声ガイドする。
（４）装置の使用方法が音声付きでムービー放映される。
顔のセット方法や以下に説明するジョイスティックレバー６ｈの操作方法がムービー放映される。
（５）次いで、「それでは視力測定をはじめます。レバー６ｈを握って、視力測定器を覗いて下さい。顎受け６ｄの調節を行って下さい。家９９’の絵が見えますか。見えなければ見える位置に調整して下さい。視野の真中にチャートが見えるように覗いて下さい。準備が出来ましたら、レバー６ｈのボタン６ｇを押して下さい。」と音声でガイドされる。
（６）客は顎受け６ｄと額当て６ｃに顔を突き当て、レバー６ｈのボタン６ｇを押す。
（７）オートアライメント機能が両眼同時にスタートする。
以下、コンタクトレンズ装用者の矯正視力の測定（９）と同様の動作を実行する。
（８）右眼裸眼視力の測定
ａ）アライメントが合った段階で、「目を細めないで下さい。」とアナウンスした後、右眼に視力値０．１の視標を提示する。
ｂ）次いで、左眼の視標照明光源をｏｆｆとする。
ｃ）次いで、コンタクトレンズの装用者の矯正視力の測定（９）ｃ）〜（１０）ｄ）のステップと同様の動作を実行する。
ｄ）視力値をメモリーする。
（９）左眼裸眼視力の測定
ａ）左眼に視力値０．１の視標を提示する。
ｂ）左眼の視標照明光源をｏｎし、右眼の視標照明光源をｏｆｆする。
ｃ）（８）ｃ）のステップと同様の動作を実行する。
ｄ）左眼の視力値が決定されしだい、右眼の視標照明光源をｏｎし、両眼に風景チャート９９を提示する。
ｅ）視力値をメモリーする。
（１０）両眼視力の測定
ａ）ステップ（８）、ステップ（９）で測定した右眼と左眼の視力値を比較して、視力値の低い方の視力値よりも１ステップ低い視力値の視標を提示する。
ｂ）最初の提示で、レバー６ｈを倒した方向とランドルト環の切れ目方向とが一致した場合、コンタクトレンズ装用者の矯正視力の測定（１０）ａ）〜ｄ）と同様のステップを行う。
ｃ）最初の提示で、レバー６ｈを倒した方向とランドルト環の切れ目方向とが一致しなかった場合、ＯＫとなるまで視力値を下げていく。
ｄ）ＯＫとなった段階で、今度は視力値を上げていく。
ｅ）上げて行く段階で、ＮＧとなった場合、最大４回提示する。
ｆ）視力値を上げていく段階、同じ視力値で切れ目方向を変える場合、水平方向と垂直方向を交互に提示する。また、水平方向の右と左、垂直方向の上と下はランダムに提示する。
ｇ）最大４回提示のうち、２回ＮＧとなったらその下の視力値とする。３回ＯＫとなったら、その視力値を有すると判定し、１ステップ上に進む。
ｈ）視力値が決定されしだい、両眼に風景チャート９９を提示する。
ｉ）視力値をメモリーする。
（１１）「裸眼での視力測定は終了しました。」とアナウンスする。
５．メガネ装用時の視力測定（右眼、左眼、両眼）
（１）「お客様のメガネ装用時の視力測定を始めます。」とアナウンスされる。
（２）メガネ度数測定結果で得られたＳ、Ｃ、Ａ値をセットする。
（３）右眼に視力値０．５（最初に提示する視標は０．５に限定されるものではない。被検眼に応じて任意の視力値が選択される。以下、同様とする。）の視標を提示する。
（４）次いで、左眼の視標照明光源をｏｆｆする。
ａ）客はランドルト環の切れ目方向にレバー６ｈを倒す。
ｂ）提示視標とレバーの倒れた方向とが一致しているかどうかを判定する。
ｃ）ランドルト環の切れ目方向とレバー６ｈを倒した方向とを判別して、「これはどうですか」をアナウンスし、右眼に次の視標を提示する。
（５）視力値決定のアルゴリズムは、次による。
ａ）最初の提示で、レバーを倒した方向とランドルト環の切れ目方向とが一致した場合、コンタクトレンズ装用者の矯正視力の測定（１０）（ａ）〜（ｄ）のステップに従う。
ｂ）最初の提示で、レバーを倒した方向とランドルト環の切れ目方向とが一致しなかった場合、ＯＫとなるまで視力値を下げていく。
ｃ）ＯＫとなった段階で、今度は視力値を上げていく。
ｄ）上げて行く段階で、ＮＧとなった場合、最大４回提示する。
ｅ）提示は、視力値を上げていく段階及び同じ視力値で切れ目方向を変える場合、水平方向と垂直方向を交互に提示する。また、水平方向の右と左、垂直方向の上と下はランダムに提示する。
ｆ）最大４回提示のうち、２回ＮＧとなったらその下の視力値とする。３回ＯＫとなったら、その視力値を有すると判定し、１ステップ上に進む。
ｇ）視力値が決定されしだい、両眼に風景チャート９９を提示する。
ｈ）視力値をメモリーする。
（６）左眼のメガネ装用時の視力の測定
ａ）左眼に視力値０．５を提示する。
ｂ）同時に、右眼の視標照明光源をｏｆｆする。
ｃ）メガネ装用時の視力測定（４）ａ）〜（５）ｇ）のステップに準ずる。
ｄ）視力値をメモリーする。
（７）両眼視力測定
ａ）右眼の照明光源をｏｎし、両眼に風景チャート９９を提示する。
ｂ）（５）のステップと（６）のステップとによる右眼と左眼の視力値を比較して、視力値の低い方の視力値よりも１ステップ低い視力値の視標を両眼に提示する。
ｃ）次いで、メガネ装用時の右眼の視力測定（４）ａ）〜（５）ｇ）に準じて測定を行う。
ｄ）視力値をメモリーする。
ｅ）両眼に風景チャート９９を提示する。
６．他覚屈折測定
（１）４．裸眼視力測定又は５．メガネ装用時の視力測定が終了した段階で、他覚屈折測定モードを自動設定する。
ａ）両眼に視標として風景チャート９９が提示されている。
ｂ）ＰＤは先に求めたＰＤ値とする。
（２）「必要とするメガネ度数を求めます。視力測定器を覗いてください。」とアナウンスする。続いて、「まばたきを数回して下さい。」とアナウンスする。１秒後、「目を大きく開けて、まばたきを少し我慢して下さい。」とアナウンスする。
（３）両眼同時にオートアライメントを行う。
（４）両眼同時他覚測定を行う。
（５）Ｓ、Ｃ、Ａデータの表示の代表値を表示・出力する。
７．他覚屈折測定結果に基づく視力検査（右眼、左眼、両眼）
（１）右眼の視力測定
ａ）両眼の他覚測定が終了した段階で、「屈折測定値を求めました。この屈折測定値による視力検査を行います。」とアナウンスする。
ｂ）両眼に他覚屈折測定で得られたＳ、Ｃ、Ａ値をセットする。
ｃ）右眼に視力値０．５の視標を提示する。
ｄ）同時に左眼の視標照明光源をＯＦＦする。
ｅ）「視標の切れ目方向にレバー６ｈを倒して下さい。」とアナウンスする。
ｆ）以下、メガネ装用時の視力測定（４）ａ）〜（５）ｇ）と同様の測定をする。
ｇ）視力値をメモリーする。
（２）左眼の視力測定
ａ）左眼のＳ、Ｃ、Ａ値は他覚屈折測定値がセットされている。
ｂ）左眼の照明をｏｎ、右眼の照明をｏｆｆする。
ｃ）右眼に視力値０．５の視標を提示する。
ｄ）「視標の切れ目方向にレバー６ｈを倒して下さい。」とアナウンスする。
ｅ）メガネ装用時の視力測定（４）ａ）〜（５）ｉ）と同様の手順を実行する。
ｆ）視力値をメモリーする。
（３）両眼の視力測定
ａ）右眼の照明をｏｎする。
ｂ）両眼とも他覚屈折測定値がセットされている。
ｃ）他覚屈折測定値による右眼と左眼の視力値とを比較して、視力値の低い方の視力値よりも１ステップ低い視力値の視標を提示する。
ｄ）「視標の切れ目方向にレバー６ｈを倒して下さい。」とアナウンスする。
ｅ）メガネ装用時の視力測定（４）ａ）〜（５）ｇ）と同様の測定を行う。
ｆ）視力値をメモリーする。
ｇ）両眼とも風景チャート９９とする。
８．Ｒ＆Ｇテスト（赤緑試験）による球面度の精密決定と視力検査（右眼、左眼）
（１）両眼バランス用レッド・グリーンチャート
図１６はその両眼バランス用レッド・グリーンチャートの一例を示す図であって、図１６（ａ）は左眼用のレッドグリーンチャートの視標７０Ａを示し、図１６（ｂ）は右眼用のレッドグリーンチャート７０Ｂを示し、図１６（ｃ）は正常眼で両眼視したときの視標７０Ａ、７０Ｂの見え方を示している。
（２）視標の見え方
ａ）右眼：上側がｇｒｅｅｎの視野に数字視標“９”、下側がｒｅｄの視野に数字視標“６”
ｂ）左眼：左側がｇｒｅｅｎの視野に数字視標“３”、右側がｒｅｄの視野に数字視標“５”（（３）他覚屈折測定で得られたＳ、Ｃ、Ａが両眼にセットされている。
（４）右眼のＲ＆Ｇテスト
ａ）両眼バランス用レッド・グリーンチャートを提示する。
ｂ）左眼は視標提示と同時に照明光源をｏｆｆする。
（５）「目を大きくあけて下さい。」とアナウンスする。
（６）両眼同時にオートアライメントを行う。
（７）「赤と緑の視標は同じように見えますか？それともどちらかの視標がはっきり見えますか？」と音声で質問する。
（８）「同じように見えるならばレバー６ｈのボタン６ｇを押して下さい。見え方に違いがあるならば、はっきり見える方向にレバー６ｈを倒して下さい」とアナウンスする。
ａ）上側（緑がはっきり見える）にレバー６ｈが倒されたら、球面度に＋０．２５Ｄを加え、「赤と緑の視標は同じように見えますか？それともどちらかの視標がはっきり見えますか？」とアナウンスする。
ｂ）下側（赤がはっきり見える）にレバー６ｈが倒されたら、球面度に−０．２５Ｄを加え．「赤と緑の視標は同じように見えますか？それともどちらかの視標がはっきり見えますか？」とアナウンスする。
（９）球面度の決定方法
ａ）レバー６ｈのボタン６ｇが押された時、その時点のＤ値をもって終了する。
ｂ）上側（緑）にレバー６ｈが倒され、Ｓ＋０．２５を加えた後、下側（赤）にレバー６ｈが倒された時は、その時点のＤ値をもって終了する。
ｃ）下側（赤）にレバー６ｈが倒され、Ｓ−０．２５を加えた後、上側（緑）にレバー６ｈが倒された時は、Ｓ＋０．２５Ｄを加えてＤ値をもって終了する。
（１１）Ｒ＆Ｇテスト後の右眼の視力測定
ａ）球面度が決定されしだい、視力値０．５を提示する。
ｂ）「視標の切れ目方向にレバー６ｈを倒して下さい。」とアナウンスする。
ｃ）以下、メガネ装用時の視力測定（４）ａ）〜（５）ｉ）と同様の測定を行う。
ｄ）右眼のＤ値及び視力値をメモリーする。
（１０）左眼のＲ＆Ｇテスト、視力測定
ａ）左眼の視標照明光源をｏｎ、右眼の視標照明光源をｏｆｆする。
ｂ）左眼はｇｒｅｅｎの視野に数字視標“３”、右側がｒｅｄの視野に数字視標“５”を観察する。
ｃ）以降、８．（５）〜（１０）ｃ）について、“上”を“左”に、“下”を“右”に置換えた記述に従う。
ｄ）視力値が決定されしだい、右眼の照明光源をｏｎし、両眼を風景チャート９９とする。
ｅ）左眼のＤ値及び視力値をメモリーする。
９．乱視テスト
８．Ｒ＆Ｇテストの結果（１０）ｄ）又は（１１）ｅ）で得られた視力値が０．７未満の場合、乱視が補正されているか否かの確認テストを行う。
これには、図１７に示す乱視テストチャートを用いる。
（１）右眼と左眼の視力値が０．７未満か否かを判別する。どちらか一方の場合、その目について、両眼とも０．７未満の場合、右眼、左眼の順序で乱視が補正されているか否かの確認テストを行う。以下、右眼の視力値が０．７未満として記述する。
（２）右眼の乱視テスト：
「乱視テストを行います。乱視テストについて説明します。」とアナウンスされる。
（３）装置の使用方法が音声付きでムービー放映される。
（４）「測定を始めます。レバー６ｈを握って、視力検査機を覗いてください。」とアナウンスされる。
（５）「どの線も一様に見えますか？見えるならばレバー６ｈを前側に、どこか濃い線があるならば、レバー６ｈを後側に倒して下さい。」とアナウンスされる。
（６）前側（一様に見える）に倒されたら、視力値０．５を提示する。
ａ）「視標の切れ目方向にレバーを倒して下さい。」とアナウンスする。
ｂ）５．メガネ装用時の視力測定（４）ａ）〜（５）ｇ）と同様とする。
ｃ）視力値を決定する。
（７）８．Ｒ＆Ｇテストの（１０）ｄ）又は（１１）ｅ）で得られた視力値と比較する。
ａ）同じ視力値又は今回の視力値が良い場合は、今回の視力値をお客さんの視力値とする。
ｂ）８．Ｒ＆Ｇテストの（１０）ｄ）又は（１１）ｅ）で得られた視力値の方が良い場合、８．Ｒ＆Ｇテストの（１０）ｄ）又は（１１）ｅ）で得られた視力値をもってお客さんの視力値とする。
ｃ）Ｄ値及び視力値をメモリーする。
（８）レバー６ｈが後側（一様でなく濃い線がある。）側に倒されたら、９．Ｒ＆Ｇテスト（１０）ｄ）又は（１１）ｅ）で得られた視力値をもってお客さんの視力値とする。この場合、後述の１８．測定結果の表示に“乱視テストで濃い線が残った。”とコメントを出す。若しくは、６．他覚屈折測定に戻る。
１０．クロスシリンダーテスト（以下、ＣＣテストという）
図１８に示すクロスシリンダーチャートを用いる。
１０−１．乱視軸の精密決定方法
１０−１−１．一般的な自覚屈折測定法における乱視軸の精密決定法手順
大略で求めた乱視軸にクロスシリンダーレンズ±０．５Ｄの中間軸を合わせ、中間軸を回転軸として反転する。反転による両者の見え方を比較させ、常に良い方の面で、大略で求めた乱視軸とクロスシリンダーレンズの中間軸両者を同時に、クロスシリンダーレンズのマイナス軸の方向へ５°回転して行く。この繰り返しで、反転による両面での見え方に差のなくなる角度を求め、正確な乱視度とする。１０−１−２．本発明の実施形態の適用例
Ｒ＆Ｇテストで求めた屈折力をＤθ、１（Ｓ１、Ｃ１、Ａ１）、クロスシリンダーレンズ±０．５Ｄの屈折力をＤθ、２（Ｓ２、Ｃ２、Ａ２）、Ｄθ、１とＤθ、２の合成屈折力をＤθ、０（Ｓ０、Ｃ０、Ａ０）とする。
Ｄθ、１の乱視軸Ａ１にＤθ、２の中間軸を合わせ、中間軸を回転軸として反転するので、Ｄθ、１とＤθ、２の軸角度Ａ１とＡ２は間には、Ａ２＝Ａ１±４５°の関係がある。
ここで、次式からＤθ、１とＤθ、２の合成屈折力Ｄθ、０（Ｓ０、Ｃ０、Ａ０）を求める。
2003041571.tif 000003
１０−１−３．乱視軸の精密決定法手順
（１）両眼に風景チャート９９を提示する。
（２）「乱視軸の精密測定を始めます。二通りの見え方を比較して頂きます。最初の“１”が良い場合は、レバー６ｈを左に、次の“２”が良い場合は、レバー６ｈを右に倒して下さい。見え方が同じであれば、レバー６ｈのボタン６ｇを押して下さい。」とアナウンスされる。
（３）左眼の視標照明光源をｏｆｆする。
（４）両眼の視標をＣＣチャートに切り換える。
（５）一時的に、両眼の球面度Ｓ１に−０．５Ｄを加える。
（６）右眼の乱視軸の精密決定
ａ）右眼の視標照明光源をｏｆｆし、Ｄθ、１とＡ２＝Ａ１＋４５°の場合のＤθ、２の合成屈折力Ｄθ、０（Ｓ０、Ｃ０、Ａ０）をセットする。以下、この状態を（Ａ＋）とする。
ｂ）右眼の視標照明光源をｏｎし、「この“１”の見え方と」を発し、（Ａ＋）を提示する。
ｃ）右眼の視標照明光源をｏｆｆし、Ｄθ、１とＡ２＝Ａ１−４５°の場合のＤθ、２の合成屈折力Ｄθ、０（Ｓ０、Ｃ０、Ａ０）をセットする。以下、この状態を（Ａ−）とする。
ｄ）右眼の視標照明光源をｏｎし、「この“２”の見え方では、どちらが良く見えますか。」とアナウンスし、（Ａ−）を提示する。
ｅ）（Ａ＋）を提示し、「“１”と」、（Ａ−）を提示し、「“２”。いかがですか。」を繰り返す。
ｆ）レバー６ｈが左に倒されたら、Ａ１＝Ａ１＋５°とし、右に倒されたら、Ａ１＝Ａ１−５°とする。当然Ａ２もこれに伴って変化する。
ｇ）レバー６ｈのボタン６ｇが押された場合は、その時点の角度を持って最終軸角度とする。（Ａ＋）が（Ａ−）に又は（Ａ−）が（Ａ＋）のように、逆方向へレバー６ｈが倒されたら、両者の角度の平均値を最終軸角度とする。
（７）左眼の乱視軸の精密決定
ａ）右眼の視標照明光源をｏｆｆとする。
ｂ）左眼に、Ｄθ、１とＡ２＝Ａ１＋４５°の場合のＤθ、２の合成屈折力Ｄθ、０（Ｓ０、Ｃ０、Ａ０）をセットする。以下、この状態を（Ａ＋）とする。
ｃ）左眼の視標照明光源をｏｎし、［この“１”の見え方と」とアナウンスし、（Ａ＋）を提示する。
ｄ）以下、（６）ｃ）〜ｇ）のステップの「右眼」を「左眼」に読み替えたものと同様とする。
（８）左眼の最終軸角度が決定したら、左眼の視標照明光源をｏｆｆする。
１０−２．乱視度の精密決定法
１０−２−１．一般的な自覚屈折測定法における乱視度の精密決定法手順
クロスシリンダレンズ５９Ａ、５９Ｂのマイナス軸又はプラス軸を本体の円柱レンズの軸に合わせ、乱視軸の精密決定同様、中間軸を回転軸として反転し、両者の見え方を比較させる。クロスシリンダレンズ５９Ａ、５９Ｂのマイナス軸と本体の円柱レンズの軸が合っているときの方が像の流れが少なかったら、Ｃ−０．２５Ｄを和する。一方、プラス軸と本体の円柱レンズの軸が合っているときの方が像の流れが少なかったら、Ｃ−０．２５Ｄを減じる。このようにして、反転による両面での見え方を比較させ、両面で同じように見える円柱レンズ度、若しくは、わずかな差がある場合、マイナスの最弱度を選択するという原則に従って、弱い方の円柱レンズ度を最終乱視度として決定する。
１０−２−２．本発明の実施形態の適用例
他覚屈折測定で求めた屈折力をＤθ、１（Ｓ１、Ｃ１、Ａ１）、クロスシリンダレンズ±０．５Ｄの屈折力をＤθ、２（Ｓ２、Ｃ２、Ａ２）、Ｄθ、１とＤθ、２の合成屈折力をＤθ、０（Ｓ０、Ｃ０、Ａ０）とする。
Ｄθ、１の乱視軸Ａ１にＤθ、２のマイナス軸またはプラス軸を合わせ、中間軸を回転軸として反転するので、Ｄθ、１とＤθ、２の軸角度Ａ１とクロスシリンダレンズの軸Ａ２の間には、Ａ２＝Ａ１の反転によってＡ２＝Ａ１＋９０°の関係がある。
Ｄθ、１とＤθ、２の二通りの合成屈折力Ｄθ、０（Ｓ０、Ｃ０、Ａ０）を求める。
１０−２−３．乱視度の精密決定法手順
（１）「乱視度の精密測定を始めます。二通りの見え方を比較して頂きます。最初の“１”が良い場合は、レバー６ｈを左に、次の“２”が良い場合は、レバー６ｈを右に倒して下さい。見え方が同じであれば、レバー６ｈのボタン６ｇを押して下さい。」とアナウンスする。
（２）右眼の乱視度の精密決定
ａ）Ｄθ、１とＡ２＝Ａ１＋９０°の場合のＤθ、２の合成屈折力Ｄθ、０（Ｓ０、Ｃ０、Ａ０）をセットする。以下、この状態を（Ｐ＋）とする。
ｂ）右眼の視標照明光源をｏｎし、「この“１”の見え方は」とアナウンスし、（Ｐ＋）を提示する。
ｃ）右眼の視標照明光源をｏｆｆし、Ｄθ、１とＡ２＝Ａ１の場合のＤθ、２の合成屈折力Ｄθ、０（Ｓ０、Ｃ０、Ａ０）をセットする。以下、この状態を（Ｐ−）とする。
ｄ）右眼の視標照明光源をｏｎし、「この“２”の見え方では、どちらが良く見えますか。」とアナウンスし、（Ｐ−）を提示する。
ｅ）（Ｐ＋）を提示し、「“１”と」、（Ｐ−）を提示し、「“２”。いかがですか。」のアナウンスを繰り返す。
ｆ）レバー６ｈが左に倒されたら｛１：（Ｐ＋）｝、Ｃ１に＋０．２５Ｄを加え、右に倒されたら｛２：（Ｐ−）｝、Ｃ１に−０．２５Ｄを加える。
ｇ）レバー６ｈのボタン６ｇが押された場合、その時点の度数をもって最終乱視度とする。
ｈ）レバー６ｈが左に倒されてＣ１に＋０．２５Ｄを加えた後に右に倒されたら、その時点の乱視度を持って最終乱視度とする。逆に、レバー６ｈが右に倒されてＣ１に−０．２５Ｄを加えた後に左に倒されたら、Ｃ１に＋０．２５Ｄを加えてこの値を最終乱視度とする
（３）左眼の乱視度の精密決定
ａ）右眼の視標照明光源をｏｆｆする。
ｂ）左眼に、Ｄθ、１とＡ２＝Ａ１＋９０°の場合のＤθ、２の合成屈折力Ｄθ、０（Ｓ０、Ｃ０、Ａ０）をセットする。以下、この状態を（Ｐ＋）とする。
ｃ）左眼の視標照明光源をｏｎし、「この“１”の見え方は」とアナウンスし、（Ｐ＋）を提示する。
ｄ）以下、１０−２−３．（２）ｃ）〜ｈ）のステップと同様の手順で行う。
（４）左眼の視標照明光源をｏｆｆする。両眼とも照明ｏｆｆとなる。
（５）クロスシリンダレンズ±０．５Ｄを除き、両眼に１０−１−３の乱視軸の精密決定手順で求めたＡ’１を、１０−２−２の乱視度の精密決定手順で求めたＣ’１をセットする。
（６）１０−１−３の（５）のステップで加えた−０．５０Ｄを差し引く。
（７）両眼に風景チャート９９を提示し、両眼の視標照明光源をｏｎする。
１１．両眼バランステスト
（１）視標の見え方
ａ）右眼：上側がｇｒｅｅｎの視野に数字視標“９”、下側がｒｅｄの視野に数字視標“６”
ｂ）左眼：左側がｇｒｅｅｎの視野に数字視標“３”、右側がｒｅｄの視野に数字視標“５”
ｃ）両眼：上下左右方向のｇｒｅｅｎまたはｒｅｄの視野内に菱形に並んだ４個の数字視標
（２）測定方法
ａ）９．ＣＣテストで得られたＳ、Ｃ、Ａ値をセットする。
ｂ）右眼、左眼にそれぞれ両眼バランスチャートをセットする。
ｃ）「４つの数字は同じように鮮明に見えますか？それとも見え方に違いがありますか？」とアナウンスする。
ｄ）「４つの数字が同じように鮮やかに見えるならばレバー６ｈのボタン６ｇを押して下さい。見え方に違いがあるなら、一番鮮やかに見える数字の方向にレバー６ｈを倒して下さい。」とアナウンスする。
ｅ）レバー６ｈが倒された後、再度「二番目に鮮やかに見える数字の方向にレバー６ｈを倒して下さい。」とアナウンスする。
ｆ）ｄ）とｅ）のステップで倒されたレバー６ｈの方向に応じて次の一覧表に従って処理する。
2003041571.tif 000004
ｇ）ｆ）の一覧表の▲１▼以外は、それぞれの対応に応じて球面度を補正後、ｂ）のステップに戻る。
ｈ）ｄ）でレバー６ｈのボタン６ｇが押されるか、ｆ）の▲１▼となるまで繰り返す。
１２．両眼バランステストによる視力測定
（１）Ｓ、Ｃ、Ａ値をセット
ａ）両眼に両眼バランステストで得られたＳ、Ｃ、Ａ値をセットする。
ｂ）「お客様にお勧めするメガネ度数を求めました。次いで、このメガネ度数で視力検査を行います。」とアナウンスする。
（２）右眼、左眼、両眼の視力測定を行う
１３．視力検査結果の確認
１３−１．メガネ装用者の場合
（１）「裸眼の見え方と、今のメガネの見え方と、今回お客様にお勧めするメガネの見え方をお見せします。」とアナウンスする。
（２）その都度、モニター装置６４ｑの表示画面６４ｑ’にお客様に見せている測定結果を白ラインまたは白四角で示す。
（３）「裸眼の見え方を示します。」とアナウンスする。
（４）両眼ともＳ、Ｃ値を０Ｄとし、お客様に風景チャート９９を例えば３秒間注視させる。
（５）「次いで、いまご使用になっているメガネによる見え方を示します。」とアナウンスする。
（６）メガネの度数測定を行った場合、Ｓ、Ｃ、Ａ値をメガネの度数測定値とし、例えば、３秒間注視させる。
（７）「今回のお客様にお勧めするメガネでは、この位見えるようになります。」とアナウンスする。
（８）１１．両眼バランステスト結果によるＳ、Ｃ、Ａ値（推奨屈折度）をセットし、例えば、３秒間注視させる。
（９）「今回お客様にお勧めすするメガネの見え方です。一般的に見やすく、疲れにくいこの見え方でよろしければ、レバー６ｈのボタン６ｇを押して下さい。」とアナウンスして例えば４秒間提示する。この４秒間の間にレバー６ｈが押されたら、推奨屈折度を選択屈折度として終了する。
（１０）４秒間レバー６ｈのボタン６ｇが押されなかったら、「今ご使用になっているメガネによる見え方を確認したい場合には、レバー６ｈを右に倒して下さい。」とアナウンスして４秒間提示し、４秒間の間にレバー６ｈの操作がなかった場合には、推奨屈折度を選択屈折度として終了する。
（１１）４秒間の間にレバー６ｈが右に倒されたら、両眼にメガネの度数をセットし、「今ご使用になっているメガネによる見え方です。これで宜しければ、レバー６ｈのボタン６ｇを押して下さい。」とアナウンスして、４秒間提示する。この４秒間の間にレバー６ｈのボタン６ｇが押されたら、メガネ度数を選択屈折度として終了する。
（１２）４秒間の間にレバー６ｈのボタン６ｇが押されなかったら、「お客様にお勧めするメガネの見え方を確認したい場合、レバー６ｈを左に倒して下さい。」とアナウンスして４秒間提示し、４秒間の間にレバー６ｈの操作がなかった場合、推奨屈折度を選択屈折度として終了する。
（１３）終了と同時に選択屈折度を両眼にセットする。
（１４）選択屈折度として選んだ“メガネ度数”“推奨屈折度”のいずれかを、後述する。
１９．測定結果の表示を赤文字で示す。
１３−２．コンタクトレンズ装用者及びメガネ・コンタクトレンズ未装用者の場合（１）「裸眼の見え方と、今回お客様にお勧めするメガネの見え方をお見せします。」とアナウンスする。
（２）その都度、モニター装置６４ｑの表示画面６４ｑ’（ディスプレー）にお客様に見せている測定結果を白ラインまたは白四角で示す。
（３）「裸眼の見え方を示します。」とアナウンスする。
（４）両眼ともＳ、Ｃ値を０Ｄとして、お客様に風景チャート９９を３秒間注視させる。
（５）「今回のメガネではこの位見えるようになります。」とアナウンスする。
（６）１１．両眼バランステスト結果によるＳ、Ｃ、Ａ値（以下、推奨屈折度とする。）をセットして３秒間注視させる。
（７）推奨屈折度を選択屈折度として終了する。
（８）選択屈折度として選んだ“推奨屈折度”を１８．測定結果の表示を赤文字で示す。
１４．十字斜位テスト
図１９は十字斜位テストチャートの一例を示し、図１９（ａ）は左眼用の十字斜位テストチャートの視標７１Ａを示し、図１９Ｂは右眼用の十字斜位テストチャートの視標７１Ｂを示し、図１９（ｃ）は正常眼で両眼視したときの視標７１Ａ、７１Ｂの見え方を示す。表２にその斜位の見え方を示す。
2003041571.tif 000005
（１）測定方法
ａ）両眼に図１９に示す十字斜位チャートをセットする。
この際に、図５、図７に示すＬＥＤ５３Ａを点灯させ、融像枠５３Ｆを両眼にそれぞれ提示する。
その理由を以下に説明する。
眼位ズレには斜位と斜視がある。斜位は、日常の私生活で両眼とも視線は正しく注視物体に向き常に両眼単一視を行っているが、片眼を覆った場合、視線がずれる眼位ズレをいい、斜視は片眼を覆っても覆わなくても常に視線のずれが見られ、注視物体は常に複視となる眼位ズレをいう。
斜視ではなく斜位のある人は、自然界の物体を注視しているときには、物体は二重像とはならず、重なって見えるので日常生活には支障はない。しかしながら、左目用の光学系と右目用の光学系とを別々に設けて各光学系を通じて、左目には左目用の視標を提示し、右目には右目用の視標を提示する光学系を採用すると、自然界の物体を見ているのと異なり、斜位のある人が両眼で各視標を見ているときには、左目で見る視標と右眼で見る視標とが異なっている場合には、左目で見た視標と右目で見た視標とが一致しないことが起こり得る。
また、左目に提示される視標と右目に提示される視標とが同じ場合でも、視野の狭い一文字視標による視力検査の場合や、更に輻湊させて行う近用視力テストでは、左目で見た視標と右目で見た視標とを融像できないことが起こり得る。
誰もが多少の斜位を有するが、日常の生活では正常な両眼視を行っている。本発明の実施の形態による十字斜位テストは、左目に提示されている視標、右目に提示されている視標を囲むようにして融像枠を提示し、融像枠があってもなおかつ融像できない、日常の両眼視機能に異常をもたらす被検者の抽出を目的としている。また、視力検査の場合にも、融像枠を提示して、斜位があっても日常の生活で何ら支障をきたしていない被検者が容易に両眼視を行えるようにしたものである。
ｂ）「４本の線が見えますか？見えたらレバー６ｈのボタン６ｇを押して下さい。水平の２本線のみが見えるなら、レバー６ｈを右又は左に、垂直の２本線のみが見えるなら、レバー６ｈを前又は後方に倒して下さい。」とアナウンスする。
ｃ）レバー６ｈが右又は左に倒されたら右眼に、前又は後方に倒されたら左眼に抑制が働いており、斜位検査は不能である。“斜位：要精検”とメモリして斜位検査を終了する。
ｄ）レバー６ｈのボタン６ｇが押されたら、「横線と縦線の中心は重なっていますか？重なっていたら、レバー６ｈのボタン６ｇを押して下さい。縦線が右に寄っているならレバー６ｈを右に、左に寄っているならレバー６ｈを左に倒して下さい。」とアナウンスする。
ｅ）ボタン６ｇが押されたら、“斜位：正常”とメモリーして、斜位検査を終了する。レバー６ｈが右に倒されたら両眼同時にＢＯプリズムとし、左に倒されたら両眼同時にＢＩプリズムとする。プリズム変換の最小単位は、０．５△とする。
ｆ）レバー６ｈが右に倒された場合、「縦線が横線の中心位置と一致するまで、レバー６ｈを右または左に倒し、一致したらレバー６ｈのボタン６ｇを押して下さい。」とアナウンスする。
ｇ）レバー６ｈのボタン６ｇが押されるまで、レバー６ｈを右或いは左に倒した回数をカウントする。右に倒した後に左に倒したら差引きで０回とする。右がＢＯ（内斜位）、左がＢＩ（外斜位）となり、倒した回数×０．５がプリズム量（△）となる。
ｈ）水平斜位“ＢＯ（又は、ＢＩ）△”とメモリーする。
ｉ）レバー６ｈのボタン６ｇが押されたら、「横線と縦線の中心は重なっていますか？重なっていたら、レバー６ｈのボタン６ｇを押して下さい。横線が上に寄っているならレバー６ｈを上に、下に寄っているならレバー６ｈを下に倒して下さい。」とアナウンスする。
ｊ）レバー６ｈが上に倒されたら、右眼はＢＤプリズム、左眼はＢＵプリズムとし、下に倒されたら、右眼はＢＵプリズム、左眼はＢＤプリズムとする。
ｋ）「縦線が横線の中心が重なるまで、レバー６ｈを上または下に倒し、一致したらレバー６ｈのボタン６ｇを押して下さい。」とアナウンスする。
ｌ）レバー６ｈのボタン６ｇが押されるまで、レバー６ｈを上或いは下に倒した回数をカウントする。上に倒した後、下に倒したら差引きで０回とする。上が右眼上斜位、下が左眼上斜位となり、各方向に倒した回数×０．５がプリズム量（△）となる。
ｍ）垂直斜位“右眼ＢＤ  △”とメモリーする。または“左眼ＢＤ  △”とメモリーする。
（２）十字斜位テストを終了し、風景チャート９９とする。
１５．立体視テスト
（１）チャート
図２０は立体視用のテストチャートを示し、図２０（ａ）は左眼用の立体視テストチャートの視標７２Ａを示し、図２０（ｂ）は右眼用の立体視テストチャートの視標７２Ｂを示し、図２０（ｃ）は両眼視したときの正常眼の視標７２Ａ、７２Ｂの見え方を示している。
なお、この立体視用のテストチャートには、その左眼用のテストチャートに融像刺激７２Ｃが中心に設けられ、その右眼用のテストチャートに融像刺激７２Ｄが中心に設けられている。
視標７２Ａと視標７２Ｂとの４本の直線は、融像刺激７２Ｃと融像刺激７２Ｄとに対して段階的な立体視差を持つ。例えば、立体視差は右側が４０”、下側が１’、上側が２’、左側が４’とする。
（２）測定方法
ａ）図２０に示す立体視チャートを提示する。
ｂ）「４本直線が浮き上がって見えますか？浮き上がりの高い順番にレバー６ｈを倒して下さい。浮き上がって見えなかったら、レバー６ｈのボタン６ｇを押して下さい。」とアナウンスする。
ｃ）レバー６ｈのボタン６ｇが押されたら、“立体視：要精検”とメモリーしてテストを終了する。
ｄ）レバー６ｈが“左側”“上側”“下側”“右側”と倒されたら、“立体視：正常”とメモリーしてテストを終了する。
ｅ）順番通りでなかったら、再度、ｂ）〜ｄ）のステップを繰り返し、正答が得られなかったら、“立体視：要精検”とメモリーしてテストを終了する。
ｆ）風景チャート９９を提示する。
１６．近用視標に対する両眼同時他覚屈折測定
（１）検眼装置本体の輻湊
ＰＤ距離に応じて検眼装置本体を近用設定距離ｄ１ｍｍに輻輳させる。検眼装置本体のあおり角度（輻湊角）θは次式から求められる。
θ＝ｔａｎ−１（（ＰＤ／２）／ｄ１）
（２）近用距離及び輻湊角の設定
ａ）両眼の視標照明光源をｏｆｆとする。
ｂ）両眼に遠用視標に対する自覚測定結果をセットする。
ここでの自覚測定結果とは、「１３．視力検査結果の確認で選択した選択屈折度」をいう。
ｃ）両眼に視標として風景チャート９９又は自覚屈折測定結果（両眼バランス）のＳ、Ｃ、Ａ値に基づく視力値より大きい視力値の視標を例えば２ｓｔｅｐ又は３ｓｔｅｐ大きな視標を提示する。一文字視力標の場合は融像枠を点灯させる。ｄ）設定した近用距離ｄ１ｍｍに対する輻輳角度θに、左右の検眼装置本体を左右被検眼の眼球回旋点を中心として回転させる。
ｅ）両眼の視標光源を点灯させる。
（３）両眼同時にオートアライメントを行う。
（４）「まばたきを数回してください。」とアナウンスする。１秒後、「目を大きく開けてまばたきを少し我慢してください。」、「視標の切れ目のある方向にレバー６ｈを倒してください。」とアナウンスする。
（５）レバー６ｈによる応答と視標の切れ目の方向とを判断し、一致していれば次へ進む。
（６）両眼同時他覚測定を例えば３回行う。
（７）他覚測定による測定結果のＳ、Ｃ、Ａ値の代表値と自覚屈折測定値との差を出力表示する。
（８）測定結果の見方
例えば、遠用視標に対する自覚屈折測定後、近用距離ｄ１を３３ｃｍに設定して両眼他覚屈折測定を行うと、調節機能障害のない十分な調節力を有する被検眼の場合、遠用視標に対する自覚屈折測定値と近用距離３３ｃｍに設定して測定した他覚屈折測定値との差は、被検者の屈折異常に無関係に３Ｄとなるので、遠用視標に対する自覚屈折測定値と近用距離３３ｃｍに設定したときの他覚屈折測定値との差が３Ｄであれば、調節と輻輳との関係は正常であると判断できる。
調節力は年齢とともに低下し、正常者の値はよく知られている。年齢に応じた近用距離で他覚的に調節力を求め、年齢に対する平均的な調節力と比較して著しく低下していれば、眼科臨床的には調節機能障害を疑うことができる。また、近用眼鏡処方の面からは、遠用視標に対する自覚屈折測定値と近用距離３３ｃｍに設定したときの他覚屈折値との差が３Ｄであれば、被検者は近用距離３３ｃｍに対して十分な調節力を持つと判断することができる。
近用眼鏡処方は、調節力と年齢の関係から、一般に４５歳以上の被検者を対象として行われるが、近用視標に対する両眼他覚屈折測定を行うことにより、年齢に無関係に、近用眼鏡を必要とするか否かを他覚的に容易に判断できる。この他、ＶＤＴ（ビデオディスプレイターミナル）作業者の健康管理に有効である。
なお、ここでいう調節機能障害とは、年齢が若いのに調節力がないことをいう。
ここでは、視標を遠用距離の位置から途中位置を省略して視標の位置をｄ１＝３３ｃｍに設定したが、遠用距離の位置から視標を近用距離ｄ１に向けてステップ的に視標を移動させ、ステップ的に移動させた位置で視標を停止させて、（３）〜（６）の測定動作を行っても良い。
視標を遠用距離の位置から途中位置を省略して近用距離ｄ１の位置に設定して同時他覚測定を行うと、視標が見えないことがあるが、このように視標をステップ的に移動させて測定を行うと、調節力が徐々に変化するため、視標を見失うことなく正確な測定を行うことができることになる。
なお、上記では、遠用視標に対する自覚屈折測定値と所定の近用距離における両眼他覚屈折測定値との差を調節力として定義したが、遠用視標に対する両眼他覚屈折測定値と所定の近用距離における両眼他覚屈折測定値との差を調節力としても良い。
１７．近用テスト
（１）近用度数の測定
図２１に示す近用テストチャートを用いる。
「近用テストを行います。近用テストについて説明します。」とアナウンスする。
（２）近用テストの方法が音声付きでムービー放映される。
ａ）近用テストチャートについて説明が行われる。
ｂ）“同じようにはっきり見える。”“横線がはっきり見え、縦線がぼけて見える。”のデモンストレーションが放映される。
ｃ）レバー操作の説明がムービー放映される。
（３）輻湊角の設定
ａ）両眼の視標照明光源をｏｆｆにする。
ｂ）視標は図２１に示す近用テストチャートとする。
ｃ）±０．５Ｄのクロスシリンダーを加えた状態にＳ、Ｃを変換する。変換式は公知の式による。
ｄ）「（１）本体の輻湊で求めた近用距離ｄ１ｍｍに対するあおり角度θに輻湊させながら、両眼に次式から求められる年齢に応じた近用テスト初期値Ａｓを加える。
・年齢ｘに対する調節力Ａｃの一般式
５５歳未満：Ａｃ＝１２．５−０．２ｘ
５５歳以上：Ａｃ＝７．０−０．１ｘ
・近用距離ｄ１ｍｍに対する加入度Ａｄ１
Ａｄ１＝（１０００／ｄ１）−（Ａｃ）×（１／２）
・年齢に応じた近用テスト初期値Ａｓを加える。
Ａｓ＝−｛（１０００／ｄ１）−Ａｄ１｝＝−（Ａｃ）×（１／２）
年齢に応じた近用テスト初期値Ａｓの計算例を以下の表３に示す。
2003041571.tif 000006
ｅ）両眼の視標光源を点灯する。
（４）「近用テストを行います。レバー６ｈを握って視力検査機を覗いてください。」とアナウンスする。
（５）両眼同時にオートアライメントを行う。
（６）「縦線と横線は同じように濃く見えますか？同じように濃く見えたらレバー６ｈのボタン６ｇを押して下さい。横線が濃く見え、縦線薄く見えたらレバー６ｈを左または右に、縦線が濃く見え、横線が薄く見えたらレバー６ｈを前または後ろに倒して下さい。」とアナウンスする。
ａ）最初の提示で、レバー６ｈのボタン６ｇが押されたら（横線と横線が同じように濃く見える。）、（４）ｄ）で求めた表３．”年齢に応じた近用テスト初期値Ａｓ”に（１０００／ｄ１）を加えた値を加入度とする。
ｂ）最初の提示で、レバー６ｈが左または右に倒されたら（横線が濃く見え、縦線が薄く見える。）、両眼に同時に球面度＋０．２５Ｄを加える。
ｃ）「縦線と横線は同じように濃く見えますか？同じように濃く見えたらレバー６ｈのボタン６ｇを押して下さい。横線が濃く見え、縦線が薄く見えたらレバー６ｈを左または右に、縦線が濃く見え、横線が薄く見えたらレバー６ｈを前または後ろに倒して下さい。」とアナウンスする。
ｄ）レバー６ｈが左または右に倒されたら（横線が濃く見え、縦線が薄く見える。）、更に両眼に同時に球面度＋０．２５Ｄを加える。
ｅ）「いかがですか？」とアナウンスする。
ｆ）レバー６ｈのボタン６ｇが押されるまで、若しくは、レバー６ｈが前方又は後方に倒されるまでｅ）とｆ）のステップを繰り返す。
ｇ）ボタン６ｇが押されたら若しくはレバー６ｈが前方又は後方に倒されたら、表３の値に（１０００／ｄ１）加えた値をレバー６ｈのボタン６ｇが押されるまで（レバー６ｈのボタン６ｇを押した回数をカウントする。）若しくは前方又は後方に倒されるまで（前又は後方に倒した回数はカウントしない。）に加えた球面度の和を加入度とし、「お客様の近用加入度は、…Ｄです。」とアナウンスして近用テストを終了する。
ｈ）最初の提示で、レバー６ｈが前方または後方に倒されたら（縦線が濃く見え、横線が薄く見える。）、両眼に同時に球面度−０．２５Ｄを加える。
ｉ）「縦線と横線は同じように濃く見えますか？同じように濃く見えたらレバー６ｈのボタン６ｇを押して下さい。横線が濃く見え、縦線薄く見えたらレバー６ｈを左または右に、縦線が濃く見え、横線が薄く見えたらレバー６ｈを前または後ろに倒して下さい。」とアナウンスする。
ｊ）レバー６ｈが前方または後方に倒されたら（縦線が濃く見え、横線が薄く見える。）、更に両眼に同時に球面度−０．２５Ｄを加える。
ｋ）「いかがですか？」とアナウンスする。
ｌ）レバー６ｈのボタン６ｇが押されるまで、若しくは、レバー６ｈが右又は左に倒されるまでｋ）とｌ）のステップを繰り返す。
ｍ）ボタン６ｇが押されたら若しくはレバー６ｈが右又は左側に倒されたら、表３に（１０００／ｄ１）を加えた値にレバー６ｈのボタン６ｇが押されるまで（レバー６ｈのボタン６ｇを押した回数をカウントする。）若しくは右又は左側に倒されるまで（右又は左側に倒した回数をカウントする。）に加えた球面度の和を加入度とし、「お客様の近用加入度は、…Ｄです。」とアナウンスして近用テストを終了する。
ｎ）両眼に風景チャート９９を提示する。
ｏ）近用加入度をメモリーする。
ｐ）両眼とも±０．５Ｄクロスシリンダーレンズを差し引いた状態にＳ、Ｃ、Ａを変換する。
１８．近用視力テスト
（１）近用テストを行った場合のみとする。
（２）両眼同時にオートアライメントを行う。
（３）両眼近用視力テスト
ａ）「両眼の近用視力測定を行います。」とアナウンスする。
ｂ）両眼に図２２に示すランドルト環視標０．５をセットする。融像枠５３Ｆも同時に提示される。
ｃ）「視標の切れ目方向にレバー６ｈを倒して下さい。」とアナウンスする。
ｄ）お客さんは、ランドルト環の切れ目方向にレバー６ｈを倒す。
ｅ）提示視標とレバー６ｈの倒れた方向が一致しているかどうかを判定する。
ｆ）ランドルト環の切れ目方向とレバー６ｈを倒した方向を判別し、両眼同時に次のステップの視標を提示する。
ｇ）以下、５．メガネ装用時の視力測定（４）ａ）〜（５）ｇ）のステップに準じる。
ｈ）視力値をメモリーする。
ｉ）両眼に風景チャート９９を提示する。
１９．測定結果の表示の一例を図２９に示す。
２０．測定終了
（１）「視力測定は全て終了しました。」とアナウンスすると共に、表示画面６４ｑ’に文字表示する。
（２）次いで、「装置から顔を外し、モニター装置６４ｑをご覧ください。測定結果はモニター装置６４ｑ’に表示されます。」とアナウンスされる。
（３）イニシアルセットする。
ａ）ＰＤは、６６ｍｍとする。視標は、両眼とも風景チャート９９とする。
ｂ）本体をスリープ状態とする。
（変形例１）
図２５は本発明に係わる検眼装置の変形例を示す説明図であって、１００は視力表検査装置を示している。
この視力表検査装置１００は図２６に示す筐体１０１を有し、この筐体１０１の内部は暗箱となっている。この筐体１０１には視標照明光学系１０２と凹面鏡１０３とが設けられている。視標照明光学系１０２には光源１０４、コンデンサレンズ１０５、拡散板１０６、視標１０７、偏光板１０８が設けられている。拡散板１０６は照明光をやわらげるために使用され、視標１０７は拡散板１０６を介して照明される。視標１０７には先に説明した各視標が用いられる。視標照明光学系１０２には視標１０７が選択して挿入される。偏光板１０８は視標１０７の近傍に設けられている。この偏光板１０８は両眼視機能検査のときに視標照明光学系１０２の光路に挿入される。
凹面鏡１０３と視標照明光学系１０２との間には、半透鏡１０９が照明光学系１０２の光軸Ｏ’に対して４５度の角度で配置されている。この半透鏡１０９は平行平面ガラス板に誘電体膜を付着することにより形成される。
視標は符号Ｐ１’で示すように半透鏡１０９を透過して凹面鏡１０３に投影され、この凹面鏡１０３により反射されて符号Ｐ２’で示すように再び半透鏡１０９に向けられ、この半透鏡１０９により符号Ｐ３’で示すように、左右のミラーＰ’が存在する方向に投影され、このミラーＰ’を介して、左目、右目に視標の像が提示される。
両眼視機能検査を行うときには、被検者は図２７に示す偏光メガネ１１０を装用して像１０７’を視認する。偏光メガネ１１０の偏光レンズ１１０ａは右４５度の偏光軸１１１を有し、他方の偏光レンズ１１０ｂは左４５度の偏光軸１１２を有する。従って、図２８に示すように、偏光板１０８の偏光レンズ１１０ａに対応する半分１０８ａの偏光軸１１３を右４５度に設計し、偏光板１０８の偏光レンズ１１０ｂに対応する１０８ｂの偏光軸１１４を右４５度に設定して、左目で一方の視標の像を見、右目で視標１０７の像１０７’を見ることができる。なお、この視力表装置１００の構成については、例えば、特願平５−２０４４０２号に開示されている。
（変形例２）
図３１は本発明に係わる検眼装置の変形例２を説明図であって、本体部５ｒの右眼用光学系の概略ブロック図を示し、図３２はその右眼用光学系の詳細構成を示している。
その図３１において、１２０は本体部５ｒの右眼用光学系を示している。本体部５ｌの左眼用光学系の構成は右眼用光学系と同一であるので、その説明は省略することとし、右眼用光学系１２０についてのみ説明する。
右眼用光学系１２０は、図３１に示すように、被検眼Ｅと本体部５ｒとの距離合わせを行う指標投影光学系ｇ’、複数個のリングパターンを被検眼Ｅの角膜に向けて投影するリングパターン投影光学系ｆ’を有する。この指標投影光学系ｇ’は図３１に示すようにＬＥＤ１２１、１２２、投影レンズ１２３、１２４からなっている。
指標投影光学系ｇ’のＬＥＤ１２１、１２２からの指標光束はミラー１２５を介して被検眼Ｅの角膜に斜め二方向から投影される。
リングパターン投影光学系ｆ’は、図３２に詳細に示すように、リング状照明光源１２７、リングパターン１２６からなり、同心円状のリングパターン像がミラー１２５を介して被検眼Ｅの角膜に同様に投影される。そのリングパターン投影光学系ｆ’は前眼部照明光源に兼用されている。
その右眼用光学系１２０には、前眼部観察及び被検眼に対する本体部５ｒのアライメントと角膜曲率分布測定とを行うための受光光学系ａ’、被検眼Ｅの屈折力を測定するための視標を眼底Ｅｆに投影する屈折力測定用視標投影光学系ｂ’、眼底Ｅｆからの反射光束を受光する受光光学系ｃ’、被検眼Ｅに固視及び雲霧視を行わせるための視標を投影する視標投影光学系ｄ’、被検眼Ｅと本体部５ｒの対物レンズ３８の光軸と直交する方向、すなわち、上下左右方向のアライメントを行うための指標を投影する指標投影光学系ｅ’が更に設けられている。
視標投影光学系ｅ’は指標ＬＥＤ１２８、ダイクロイックミラー１２９からなっている。指標ＬＥＤ１２８からの指標光束は、ダイクロイックミラー１２９により反射され、ダイクロイックミラー１３０を透過し、対物レンズ３８、ミラー１２５を経由して被検眼Ｅの角膜に投影される。
受光光学系ａ’は、対物レンズ３８、ダイクロイックミラー１３０、絞り１３１、リレーレンズ１３２、１３３、ダイクロイックミラー１３４、結像レンズ１３５、撮像素子１３６を有する。絞り１３１は対物レンズ３８の焦点位置に配設されて、いわゆるテレセントリック絞りとして用いられる。この絞り１３１の中心を通る光線は、被検眼上で対物レンズ３８の光軸と平行である。
指標投影光学系ｅ’からの指標光束による角膜からの反射光、リングパターン投影光学系ｆ’のリングパターン１２７による角膜及び前眼部からの散乱反射光、指標投影光学系ｇ’からの指標光束による角膜からの反射光は、その受光光学系ａ’の各光学素子を経由して、撮像素子１３６に受像される。その撮像素子１３６の受像出力はモニター装置１３７に入力される。
指標投影光学系ｄ’は、ランプ１３８、コリメータレンズ１３９、回転板１４０、ミラー１４１、リレーレンズ１４２、ミラー１４３、被検眼視度調節用の移動レンズ１４４、リレーレンズ１４５、１４６、乱視補正用のバリアブルクロスシリンダー１４７、１４８、ミラー１４９、ダイクロイックミラー１５０を備えている。
その回転板１４０はモータ１５１によって回転駆動され、その回転板１４０には固視標、ランドルト環等が設けられる。
その固視標１５２は、ミラー１４１、リレーレンズ１４２、ミラー１４３、移動レンズ１４４、リレーレンズ１４５、１４６、バリアブルクロスシリンダー１４７、１４８、ダイクロイックミラー１５０、１３０、対物レンズ３８、ミラー１２５を介して被検眼Ｅに投影される。
これにより、被検眼Ｅは固視標１５２を固視し、検者は、モニター装置１３７を見ながら被検眼Ｅの前眼部観察及び本体部５ｒのアライメントを行う。そのアライメントが完了した状態で、まず、角膜の曲率分布の測定が実行される。
撮像素子１３６には角膜に形成されたリングパターン１２６のリングパターン投影像が結像されていると共に、ＬＥＤ１２８による指標光束の反射輝点像が投影されているので、この輝点像を基準に各リング像までの距離を撮像素子１３６上で求めることにより、角膜曲率分布を求めることができる。なお、同心状のリングパターン像の最も径の小さいリング像の中心から各リング像までの距離を演算することにより角膜曲率分布を求めるようにしても良い。
屈折力測定用視標投影光学系ｂ’は、眼屈折力測定用光源１５３、リレーレンズ１５４、円錐プリズム１５５、測定リングターゲット１５６、リレーレンズ１５７、瞳リング絞り１５８、三角プリズム１５９から構成されている。瞳リング絞り１５８はエッチングによりレンズに形成されたリング状の絞りである。その瞳リング絞り１５８は、被検眼Ｅの瞳と共役位置に配置されている。
角膜曲率分布の測定が終了すると、眼屈折力測定用光源１５３が点灯され、リレーレンズ１５４、円錐プリズム１５５、測定リングターゲット１５６、リレーレンズ１５７、瞳リング絞り１５８、三角プリズム１５９に導かれ、この三角プリズム１５９、ダイクロイックミラー１５０、１３０により反射されて、対物レンズ３８に導かれ、この対物レンズ３８を通ってミラー１２５により反射され、被検眼Ｅの瞳孔に導かれる。瞳リング絞り１５８はその瞳孔と共役なので、その眼屈折力測定用光源１５３から出射された光束は、瞳上でリング状の光束となって眼底Ｅｆに測定光束として投影される。
被検眼Ｅの眼底Ｅｆで反射された測定光束は、ミラー１２５、対物レンズ３８、ダイクロイックミラー１３０、１５０、三角プリズム１５９を経由して受光光学系ｃ’に導かれる。
その受光光学系ｃ’は、三角プリズム１５９、ミラー１６０、リレーレンズ１６１、移動レンズ１６２、ミラー１６３を有する。移動レンズ１６２は被検眼Ｅの屈折力に対応して移動される。眼底Ｅｆで反射された測定光束は三角プリズム１５９の中央部１５９ａを通り、ミラー１６０で反射され、リレーレンズ１６１、移動レンズ１６２、ミラー１６３、ダイクロイックミラー１３４、結像レンズ１３５を経由して撮像素子１３６に結像される。三角プリズム１５９の反射面１５９ｂと反対側の面１５９ｃは瞳と共役位置に設けられ、瞳から出てきた眼底Ｅｆからの反射光束がその三角プリズム１５９の中心光軸部のみを通る光束となるようにエッチングが施されている。
眼底Ｅｆにより反射された測定光束は、被検眼Ｅの屈折力に応じて形状が変化して撮像素子１３６に結像される。被検眼Ｅの屈折力はその形状により求められる。ここでは、屈折力の測定精度の向上を図るために、測定光源ユニット１６４、移動レンズ１６２、移動レンズ１４４の移動を行う。この測定光源ユニット１６４、移動レンズ１６２の移動は撮像素子１３６上での眼底からの測定反射光束の形状を基準の大きさに近づけるためのものである。撮像素子１３６上に形成された測定反射光束の像が小さすぎたり、大きすぎたりすると、測定精度が劣化するからである。なお、測定光源ユニット１６４は眼屈折力測定用光源１５３、リレーレンズ１５４、円錐プリズム１５５、測定リングターゲット１５６から構成されている。
この構成による場合、まず、最初の測定で、被検眼Ｅの概略の屈折力を演算し、移動量に換算して測定光源ユニット１６４、移動レンズ１６２を移動させ、再度測定を行う。そして、二度目の測定で、撮像素子１３６上に形成された測定反射光束の像に基づき演算される眼屈折力の値と移動量により得られる屈折力とを合算して、被検眼の屈折力を求める。
この被検眼の他覚屈折力の測定が終わると、自覚式の検眼が行われる。
バリアブルクロスシリンダー１４７、１４８が屈折力の値に応じて光軸回りに回転されると共に、移動レンズ１４４が光軸に沿って移動され、回転板１５２が回転されて、自覚検眼に要する固視標、例えば、ランドルト環がセットされ、ランプ１３８が点灯され、固視標が被検眼Ｅに呈示される。そして、自覚式の検眼が行われる。その自覚式の検査の一例は先に説明した。
そして、遠用度数を求める自覚式の検査が終了すると、近用度数を求める検査が行われる。図３１に示すように本体部５ｌ、５ｒが被検眼Ｅの眼球回旋中心Ｅｇを中心に回動される。眼球回旋中心Ｅｇは、例えば、角膜頂点から約１２ｍｍ眼底側の点である。また、左右光学系の固視標が近用度数測定用のランドルト環にセットされ、かつ、被検眼Ｅの遠用度数となるように、バリアブルクロスシリンダ１４７、１４８、移動レンズ１４４がセットされる。
次に、移動レンズ１４４が例えば遠用度数＋（−１Ｄ）の位置に移動され、本体部５ｒ、５ｌが遠用度数＋（−１Ｄ）の位置で両眼の視軸が一致するように眼球回旋中心Ｅｇを中心に回転されると共に水平方向に移動される。次いで、ランプ１３８が点灯されて、固視標が左右の目の眼底Ｅｆに同時に投影される。これにより、両被検眼Ｅは投影された指標を注視している状態となる。
この時、他覚的に遠用度数を測定したときと同様にして、眼屈折力測定用光源１５３を点灯させて、両被検眼Ｅの屈折力を求める。被検眼Ｅが正しく調節されていたら、被検眼Ｅの遠用度数に＋（−１Ｄ）された値が得られるはずである。というのは、設定値である遠用度数＋（−１Ｄ）のところを注視させているからである。
＋（−１Ｄ）の値が得られたならば、移動レンズ１４４を＋（−２Ｄ）の位置にセットし、かつ、本体部５ｒ、５ｌを遠用度数＋（−２Ｄ）の位置で両眼の視軸が一致するように眼球回旋中心Ｅｇを中心に回転させると共に水平方向に移動させる。次いで、ランプ１３８を点灯させて、両被検眼Ｅに投影指標を注視させる。そして、両被検眼Ｅの屈折力を求める。もしも、遠用度数に加算した値と測定した値とに差があり、測定した値の方が加算により求めた値よりも大きかったなら、正しく調節されなかったとして、近用度数をその直前に測定した値として用いる。
すなわち、図３３のフローチャートに示すように、遠用度数を測定し（Ｓ．１）、遠用度数に所定値αを加え（Ｓ．２）、本体部５ｒ、５ｌを移動させ（Ｓ．３）、視標を提示し（Ｓ．４）、他覚測定を実行し（Ｓ．５）、他覚測定により得られた測定値と設定値との差が０よりも小さいときには、測定をステップ的に繰り返し（Ｓ．６）、その差が０よりも大きくなった時点で測定を停止し、近用度数を決定する（Ｓ．７）。
その近用度数の値は、繰り返しステップ数をＮとすると、
近用度数＝遠用度数＋α×（Ｎ−１）−近用位置
例えば、αを（−１Ｄ）、近用位置を−３Ｄ、遠用度数を０Ｄ、繰り返しステップ数がＮ＝２のとき、
近用度数＝遠用度数＋α×（Ｎ−１）−近用位置＝０＋（−１）×１−（−３）＝２となる。
従って、この変形例２によれば、被検眼に頼ることなく、定量的にかつ両眼同時に近用度数の他覚測定を実行できる。また、呈示されているランドルト環の切れ目の方向をレバー６ｈを倒して応答させることにより、被検眼Ｅがランドルト環を注視しているか否かを確認できる。
また、ランドルト環の切れ目の方向とレバー６ｈの倒された方向とが一致した時に他覚測定を行うようにすれば、被検者が注視しているときに他覚測定を実行することができるので、測定精度が向上する。
また、他覚測定を複数回行ってその平均値を求める場合には、測定毎に切れ目の方向が異なるランドルト環等、異なるランドルト環を被検者に呈示することにより、被検眼の調節状態を保持できることになり、測定精度がより一層向上する。
産業上の利用可能性
請求項１、請求項２に記載の発明によれば、被検者自らが両眼の検眼測定を同時に行うことができる。
請求項３に記載の発明によれば、被検者の検眼装置本体に対する両眼のオートアライメントの成功確率を高めることができる。
請求項４に記載の発明によれば、被検者の検眼装置の操作を邪魔することなく、その操作状態を検眼アシスタントが確認することができ、適切なアドバイスを行うことができて便利である。
請求項５に記載の発明によれば、検眼士、検眼アシスタントの詳細な説明を行わなくとも、被検者が自ら検眼装置の操作方法を知得できる。
請求項６に記載の発明によれば、以前の見え方と今回の見え方との比較を行うことができるので、新しい眼鏡とする必要があるか否かの判断を容易に行うことができる。
請求項７〜１１に記載の発明によれば、オートアライメントの短時間での成功確率を高めることができる。
請求項１２に記載の発明によれば、偏光板、偏光メガネを用いることなく、両眼視させることができる。
請求項１３に記載の発明によれば、斜位があっても日常生活で何ら支障をきたしていない被検者に対して正確な測定を行うことができる。
請求項１４に記載の発明によれば、公知の視力表検査装置を用いて検眼測定を行うことができる。
請求項１６、１７に記載の発明によれば、調節と輻輳との関係を簡便に測定できる。
特に、被検者の近用屈折力を、被検者の応答に頼ることなく、定量的にかつ両眼同時に測定できるという効果を奏する。
【図面の簡単な説明】
図１  本発明に係わる検眼装置の概要を示す説明図である。
図２  図１に示す検眼装置の外観図である。
図３  図１に示す検眼装置の光学系を示す図である。
図４  図３に示す光学系の左眼用のものを拡大して示す図である。
図５  図４に示す左眼用光学系の平面図である。
図６  図３に示す光学系の右眼用のものを拡大して示す図である。
図７  図６に示す右眼用光学系の平面図である。
図８  本発明に係わる検眼装置の制御系のブロック図である。
図９  検眼装置とレンズメータの接続態様を示す図であって、（ａ）はレンズメータを検眼装置の近傍に配設してＲＳ２３２Ｃケーブルを介してモニター装置に接続すると共に検眼装置をモニター装置に接続した状態を示す説明図、（ｂ）はレンズメータを検眼装置から遠くに置いてレンズメータと検眼装置とをＲＳ２３２Ｃケーブルを介してモニター装置に接続した状態を示す図、（ｃ）は検眼装置とモニター装置とを複数台設置し、レンズメータをＬＡＮを介してモニター装置に接続した状態を示す図である。
図１０  図９に示すレンズメータの外観図である。
図１１  本発明の検眼装置の検眼手順の一例を示すフローチャートであって、（ａ）は眼鏡レンズ、コンタクトレンズ未装用者のフローチャートであり、（ｂ）は眼鏡レンズ装用者のフローチャートであり、（ｃ）はコンタクトレンズ装用者のフローチャートである。
図１２  図５、７に示す光学系の液晶表示器に表示する風景チャートを示す図である。
図１３  図２に示す液晶表示器の表示画面に表示された前眼部像の説明図で、（ａ）は左眼用の表示画面に表示された前眼部像を示す図であり、（ｂ）は右眼用の表示画面に表示された前眼部像を示す図である。
図１４  オートアライメントの一例を示す説明図であって、（ａ）はアライメントが合っていない状態を示し、（ｂ）はアライメントを合わせる途中の状態を示し、（ｃ）はアライメントが合った状態を示している。
図１５  オートアライメントの他の例を示す説明図であって、（ａ）はアライメントが合っていない状態を示し、（ｂ）は左眼にアライメントが合った状態を示し、（ｃ）はその左眼にアライメントが合ったときのデータを利用して右眼のアライメントを行う際の本体部と被検眼との関係を示し、（ｄ）は両眼のアライメントが合ったときの状態を示している。
図１６  赤緑チャートの一例を示す図であって、（ａ）は左眼用の赤緑チャートを示し、（ｂ）は右眼用の赤緑チャートを示し、（ｃ）は左右赤緑チャートを正常眼で両眼視したときの視標の見え方を示す。
図１７  乱視チャートの一例を示す図である。
図１８  クロスシリンダーチャートの一例を示す図である。
図１９  十字斜位チャートの一例を示す図であって、（ａ）は左眼用の十字斜位チャートを示し、（ｂ）は右眼用の十字斜位チャートを示し、（ｃ）は両十字斜位チャートを正常眼で両眼視したときの視標の見え方を示す。
図２０  立体視チャートの一例を示す図であって、（ａ）は左眼用の立体視チャートを示し、（ｂ）は右眼用の立体視チャートを示し、（ｃ）は正常眼で両立体視チャートを両眼視したときの視標の見え方を示し、（ｄ）は融像枠を提示した状態を示す図である。
図２１  近用チャートの一例を示す図である。
図２２  ランドルト環の一例を示す図である。
図２３  クロスシリンダレンズの一例を示す斜視図である。
図２４  融像枠チャートの一例を示す図である。
図２５  本発明の検眼装置の変形例を示す図であって、視力表装置を検眼装置の背後に設けた説明図である。
図２６  視力表検査装置の内部構成を示す説明図である。
図２７  偏光メガネの一例を示す斜視図である。
図２８  偏光板の偏光軸の説明図である。
図２９  測定結果の表示の一例を示す図である。
図３０  ロータリプリズムの一例を示す斜視図である。
図３１  本発明に係わる検眼装置の変形例２の光学系の概略構成を示すブロック図である。
図３２  図３１に示す右眼用光学系の詳細構成を示す図である。
図３３  本発明の検眼装置の変形例２の作用を説明するためのフローチャートである。
【図１】
2003041571.tif 000007
【図２】
2003041571.tif 000008
【図３】
2003041571.tif 000009
【図４】
2003041571.tif 000010
【図５】
2003041571.tif 000011
【図６】
2003041571.tif 000012
【図７】
2003041571.tif 000013
【図８】
2003041571.tif 000014
【図９】
2003041571.tif 000015
【図１０】
2003041571.tif 000016
【図１１】
2003041571.tif 000017
【図１２】
2003041571.tif 000018
【図１３】
2003041571.tif 000019
【図１４】
2003041571.tif 000020
【図１５】
2003041571.tif 000021
【図１６】
2003041571.tif 000022
【図１７】
2003041571.tif 000023
【図１８】
2003041571.tif 000024
【図２１】
2003041571.tif 000025
【図１９】
2003041571.tif 000026
【図２０】
2003041571.tif 000027
【図２２】
2003041571.tif 000028
【図２３】
2003041571.tif 000029
【図２４】
2003041571.tif 000030
【図２５】
2003041571.tif 000031
【図２６】
2003041571.tif 000032
【図２９】
2003041571.tif 000033
【図２７】
2003041571.tif 000034
【図２８】
2003041571.tif 000035
【図３０】
2003041571.tif 000036
【図３１】
2003041571.tif 000037
【図３２】
2003041571.tif 000038
【図３３】
2003041571.tif 000039
【国際調査報告】
2003041571.tif 000040
2003041571.tif 000041
2003041571.tif 000042
2003041571.tif 000043
2003041571.tif 000044
2003041571.tif 000045
2003041571.tif 000046